(57)【要約】  本発明は、通信ネットワーク内の通信サービスについてのサービス品質機能をプロビジョニングすることに関する。本発明は、具体的には、複数のネットワークエンティティを備える通信ネットワーク内の少なくとも１つのアプリケーションエンティティの少なくとも１つの通信サービスに関するサービス品質（ＱｏＳ）機能を提供するためのデバイスを提示する。デバイスは、少なくとも１つのアプリケーションエンティティ、少なくとも１つのネットワークエンティティ、及び、少なくとも１つのユーザ機器のうちの１つ又は複数にモニタリング要求を伝送し、少なくとも１つのアプリケーションエンティティ、少なくとも１つのネットワークエンティティ、及び、少なくとも１つのユーザ機器のうちの１つ又は複数からモニタリング応答を取得し、取得したモニタリング応答に基づいて、少なくとも１つのアプリケーションエンティティの少なくとも１つの通信サービスのＱｏＳにおける変化を判定し、通信ネットワーク内の少なくとも１つのアプリケーションエンティティに、及び／又は、ネットワークエンティティのうちの少なくとも１つに、ＱｏＳにおける判定した変化を伝送するように構成される。
2021536714.tif 000002
【特許請求の範囲】
【請求項１】
複数のネットワークエンティティを備える通信ネットワーク内の少なくとも１つのアプリケーションエンティティの少なくとも１つの通信サービスに関するサービス品質（ＱｏＳ）機能を提供するためのデバイスであって、
前記少なくとも１つのアプリケーションエンティティ、少なくとも１つのネットワークエンティティ、及び、少なくとも１つのユーザ機器のうちの１つ又は複数に、モニタリング要求を伝送し、
前記少なくとも１つのアプリケーションエンティティ、前記少なくとも１つのネットワークエンティティ、及び、前記少なくとも１つのユーザ機器（ＵＥ）のうちの１つ又は複数からモニタリング応答を取得し、
前記取得したモニタリング応答に基づいて、前記少なくとも１つのアプリケーションエンティティの前記少なくとも１つの通信サービスのサービス品質（ＱｏＳ）における変化を判定し、
前記通信ネットワーク内の前記少なくとも１つのアプリケーションエンティティに、及び／又は、前記ネットワークエンティティのうちの少なくとも１つに、前記ＱｏＳにおける前記判定した変化に基づいた情報を伝送する
ように構成される、デバイス。
【請求項２】
前記少なくとも１つのアプリケーションエンティティの前記少なくとも１つの通信サービスの前記ＱｏＳにおける前記変化を判定するために、前記少なくとも１つのアプリケーションエンティティのサブスクリプション要求に応じて、前記ＱｏＳ機能に対する前記少なくとも１つのアプリケーションエンティティのサブスクリプションを有効にするようにさらに構成される、請求項１に記載のデバイス。
【請求項３】
前記ＱｏＳにおける前記判定した変化を示す追加のＱｏＳを提供することにより、前記少なくとも１つのアプリケーションエンティティに、及び／又は、前記ネットワークエンティティのうちの前記少なくとも１つに、前記ＱｏＳにおける前記判定した変化を通知するようにさらに構成される、請求項１又は２に記載のデバイス。
【請求項４】
前記ＱｏＳ機能に対する前記少なくとも１つのアプリケーションエンティティの前記サブスクリプションは、前記少なくとも１つのアプリケーションエンティティから前記通信ネットワークに提供されるサブスクリプションパラメータに基づいて有効にされる、請求項２に記載のデバイス。
【請求項５】
前記サブスクリプションパラメータは、
プロトコルデータユニット（ＰＤＵ）セッション識別番号（ＩＤ）と、
ビークルツーエブリシング（Ｖ２Ｘ）通信サービスＩＤと、
単一又はグループの影響を受けるビークルツーエブリシングユーザ機器（Ｖ２Ｘ−ＵＥ）ＩＤと、
前記ＱｏＳ機能に対する前記サブスクリプション要求のタイミングウィンドウ及び／又は頻度と、
前記少なくとも１つの通信サービスの前記ＱｏＳにおける前記変化の前記判定のための計画対象時間と、
前記少なくとも１つの通信サービスの前記ＱｏＳにおける前記変化の前記判定のための予め定められた地理的エリアと、
前記少なくとも１つの通信サービスの前記ＱｏＳにおける前記変化の閾値と、
前記通信サービスの継続時間と、
前記ＱｏＳ機能に対するセグメントベースのサブスクリプション又はエンドツーエンド（Ｅ２Ｅ）のサブスクリプションと、
前記少なくとも１つのアプリケーションエンティティに対して必要とされる性能及びモニタリングエクスポージャと、
前記通信サービスのために必要とされるＱｏＳと、
プライマリＱｏＳが利用可能ではないと判定された場合に用いられることができる少なくとも１つ又は複数の代替的なＱｏＳレベルと、
サイドリンクＰＣ５及び／又はセルラ通信Ｕｕを含むリンクのタイプと
のうちの１つ又は複数を含む、請求項４に記載のデバイス。
【請求項６】
前記伝送されるモニタリング要求は
モニタリングパラメータと、
モニタリングレベルと、
前記モニタリング応答の継続時間及び粒度と、
前記モニタリング要求の位置情報と
のうちの１つ又は複数を含む、請求項１から５のいずれか一項に記載のデバイス。
【請求項７】
前記少なくとも１つの通信サービスの前記ＱｏＳにおける前記変化は、
前記少なくとも１つのアプリケーションエンティティのモビリティ情報と、
前記少なくとも１つのアプリケーションエンティティの挙動と、
マップ情報と、
前記ＵＥ及び／又は前記通信ネットワークの位置の組み合わせを表す履歴情報及び／又は無線情報と、
前記通信ネットワークの特性と
のうちの１つ又は複数に基づいて判定される、請求項１から６のいずれか一項に記載のデバイス。
【請求項８】
前記ＱｏＳにおける前記判定した変化を通知することは、サイドリンクＰＣ５通信及びセルラ通信Ｕｕのうちの少なくとも１つを含む前記通信サービスのタイプに基づいて、前記少なくとも１つのアプリケーションエンティティに、及び／又は、前記ネットワークエンティティのうちの前記少なくとも１つに通知を提供することを有する、請求項１から７のいずれか一項に記載のデバイス。
【請求項９】
前記ＱｏＳにおける前記判定した変化を通知することは、前記少なくとも１つのアプリケーションエンティティに、及び／又は、前記ネットワークエンティティのうちの前記少なくとも１つに、
プロトコルデータユニット（ＰＤＵ）セッション識別番号（ＩＤ）と、
ビークルツーエブリシング（Ｖ２Ｘ）通信サービスＩＤと、
サイドリンクＰＣ５及び／又はセルラ通信Ｕｕを含むリンクのタイプと、
単一又はグループの影響を受けるビークルツーエブリシングユーザ機器（Ｖ２Ｘ−ＵＥ）ＩＤと、
ＱｏＳパラメータと、
前記ＱｏＳの新たなレベルに対する提案と、
前記ＱｏＳにおける前記変化のタイミング情報と、
前記ＱｏＳにおける前記変化の位置情報と、
ユーザ機器（ＵＥ）ごとの前記ＱｏＳのレベルと、
前記ＵＥのタイミング情報と、
前記ＱｏＳにおける前記変化に関する確率情報と
のうちの１つ又は複数を含む通知を提供することを有する、請求項１から８のいずれか一項に記載のデバイス。
【請求項１０】
前記少なくとも１つの通信サービスは、ビークルツーエブリシング（Ｖ２Ｘ）通信サービスを含む、請求項１から９のいずれか一項に記載のデバイス。
【請求項１１】
前記アプリケーションエンティティは、Ｖ２Ｘアプリケーションエンティティに基づいている、請求項１から１０のいずれか一項に記載のデバイス。
【請求項１２】
前記Ｖ２Ｘアプリケーションエンティティは、
Ｖ２Ｘ通信サービスのためのアプリケーションサーバと、
ＵＥを表すＶ２Ｘアプリケーションクライアントと、
公衆陸上移動体ネットワーク（ＰＬＭＮ）独自のアプリケーション機能を表すアプリケーション機能（ＡＦ）と、
前記アプリケーションサーバと前記通信ネットワークとの間に位置付けられるミドルウェアアプリケーションエンティティと
のうちの１つ又は複数を含む、請求項１１に記載のデバイス。
【請求項１３】
前記Ｖ２Ｘ通信サービスのための前記アプリケーションサーバは、
Ｖ２Ｘアプリケーションサーバ（Ｖ２Ｘ  ＡＳ）と、
グループ通信システムアプリケーションサーバ（ＧＣＳ−ＡＳ）と、
コンテンツプロバイダと
のうちの１つ又は複数を含む、請求項１２に記載のデバイス。
【請求項１４】
スライスベースのアーキテクチャに基づいて、前記少なくとも１つの通信サービスの前記ＱｏＳにおける前記変化を判定するようにさらに構成される、請求項１から１３のいずれか一項に記載のデバイス。
【請求項１５】
前記通信サービスは、ダイレクト車車間（Ｖ２Ｖ）通信サービスに基づいており、前記アプリケーションエンティティは、ＵＥに基づいている、請求項１から１４のいずれか一項に記載のデバイス。
【請求項１６】
サイドリンクＰＣ５パラメータを前記ＵＥに提供するために、ビークルツーエブリシング制御機能（Ｖ２ＸＣＦ）を提供するようにさらに構成される、請求項１５に記載のデバイス。
【請求項１７】
前記ビークルツーエブリシング制御機能（Ｖ２ＸＣＦ）を介して、前記ＱｏＳ機能のための進化型プロビジョニングポリシを表す通知メッセージを前記ＵＥに提供するようにさらに構成される、請求項１６に記載のデバイス。
【請求項１８】
前記ＵＥに提供される前記通知メッセージは、
−前記サイドリンクＰＣ５パラメータと、
−パケット遅延バジェット（ＰＤＢ）へのパケット優先度サービス品質（ＰＰＰＰ／ＱｏＳ）クラスごとの近接サービス（ＰｒｏＳＥ）のマッピングと、現在のＱｏＳ及び前記ＱｏＳにおける予測される前記変化に対するパケットエラー率（ＰＥＲ）と
−前記現在のＱｏＳ及び前記ＱｏＳにおける前記判定した変化に関する無線パラメータと、
−前記ＵＥが、前記無線パラメータを変化すること、又は、サイドリンクＰＣ５を介したビークルツーエブリシング（Ｖ２Ｘ）通信サービスに関するパケット優先度ごとの前記近接サービス（ＰｒｏＳＥ）ＰＰＰＰをマッピングすることを示すタイマー情報（Ｔｘｘｘｘ）と
のうちの１つ又は複数を含む、請求項１７に記載のデバイス。
【請求項１９】
通信システムは、５Ｇ通信システムに基づいている、請求項１から１８のいずれか一項に記載のデバイス。
【請求項２０】
特定のＱｏＳレベルを維持するために、前記ＱｏＳにおける前記判定した変化に基づいて、ネットワーク再構成をトリガするようにさらに構成される、請求項１から１９のいずれか一項に記載のデバイス。
【請求項２１】
前記少なくとも１つのアプリケーションエンティティに、及び／又は、前記ネットワークエンティティのうちの前記少なくとも１つに、前記ＱｏＳにおける前記判定した変化の精度を示すアラート通知を提供するようにさらに構成される、請求項１から２０のいずれか一項に記載のデバイス。
【請求項２２】
前記ＱｏＳ機能に対する前記少なくとも１つのアプリケーションエンティティのサブスクリプションを無効にする及び／又は修正するようにさらに構成される、請求項１から２１のいずれか一項に記載のデバイス。
【請求項２３】
複数のネットワークエンティティを備える通信ネットワーク内の少なくとも１つのアプリケーションエンティティの少なくとも１つの通信サービスに関するサービス品質（ＱｏＳ）機能を提供するための方法であって、
前記少なくとも１つのアプリケーションエンティティ、少なくとも１つのネットワークエンティティ、及び、少なくとも１つのユーザ機器のうちの１つ又は複数に、モニタリング要求を伝送する段階と、
前記少なくとも１つのアプリケーションエンティティ、前記少なくとも１つのネットワークエンティティ、及び、前記少なくとも１つのユーザ機器のうちの１つ又は複数からモニタリング応答を取得する段階と、
前記取得したモニタリング応答に基づいて、前記少なくとも１つのアプリケーションエンティティの前記少なくとも１つの通信サービスのサービス品質（ＱｏＳ）における変化を判定する段階と、
前記通信ネットワーク内の前記少なくとも１つのアプリケーションエンティティに、及び／又は、前記ネットワークエンティティのうちの少なくとも１つに、前記ＱｏＳにおける前記判定した変化に基づいた情報を伝送する段階と
を備える方法。
【発明の詳細な説明】
【技術分野】
【０００１】
本発明は、概して、通信ネットワークにおけるサービス品質（ＱｏＳ）を提供する分野に関する。より具体的には、本開示は、複数のネットワークエンティティを含む通信ネットワーク内のアプリケーションエンティティ（例えば、車両、アプリケーションサーバ）の通信サービス（例えば、ビークルツーエブリシング（Ｖ２Ｘ）サービス）のＱｏＳを判定するためのデバイス及び方法に関する。本発明はまた、判定したＱｏＳ（例えば、ＱｏＳにおいて予想される変化）をアプリケーションエンティティ及び／又はネットワークエンティティに伝送するデバイス及び方法に関する。
【背景技術】
【０００２】
従来の進化型ビークルツーエブリシング（ｅＶ２Ｘ）サービスは、特別なタイプの第５世代（５Ｇ）サービスとして説明され、参照番号"ＴＳ  ２２．１８６"の技術仕様書に係る安全性及び非安全性サービスの両方を含む。
【０００３】
ｅＶ２Ｘサービスに関するいくつかのキーとなる要件は、要約すると以下のようになり得る。
・３〜１０ｍｓの範囲内の重要なレイテンシ及び９９．９９９％より高い信頼性の重要業績評価指標（ＫＰＩ）、これらは、要求に応じて、例えば、新たなアプリケーション要求（例えば、自動化変化のレベル、動的なグループ−ユーザ機器（ＵＥ）フォーメーション）又はネットワーク変化（すなわち、コアネットワーク及び／又はアクセスネットワークエンティティへのネットワーク輻輳）、伝送のモード又はオペレーション変化）に起因して、適合される必要があり得る。これらの変化のもと、キーとなる課題は、任意の一時的なサービス損失又はパケット損失のないＶ２Ｘ通信のサービス継続性を保証することである。
・環境のダイナミシティ（例えば、高モビリティ、頻繁なハンドオーバ、チャネル状態、干渉など）は、短い時間尺度で（例えば、ミリ秒で）、性能サービス品質（ＱｏＳ）又はユーザ体感品質（ＱｏＥ）の変動を結果的もたらし得る。重要でないサービスでは、これは、時間ウィンドウにわたる性能を平均化することにより許容され得るが、しかしながら、Ｖ２Ｘの重要な通信では、動的なＱｏＳ変化が捕らえられる必要があり、そうしないと、これはネットワーク要件を満たさないということにつながるかもしれない（アプリケーションの観点から、これは、セルラ通信システムに信頼を置きすぎることに起因する自動車事故の可能性につながるかもしれない）。
・コネクテッドカーの密集したネットワークを想定すると、通信システムのすべてのセグメントにわたるＵＥ（又は、複数のＵＥ）のＱｏＳの動的なモニタリング及び制御に関する処理の複雑性及びシグナリングの負荷が高くなることが予想される。
・多様なＫＰＩが入り混じったグループベースの通信が設定又は適合される必要がある。トラフィックの効率又は安全性を保証するためには、近接する他の自動車のＫＰＩ／ＱｏＳを考慮する必要がある。
【０００４】
ｅＶ２Ｘサービスに対する上記の要件を考慮すると、例えば、最小の制御プレーンレイテンシを有する安全性又は非安全性Ｖ２Ｘサービスと、リアルタイムシグナリングとの融合を達成することを保証するためには、予測ＱｏＳ構成又は適合が不可欠である。
【０００５】
従来、各ユーザ機器（ＵＥ）に対する無線アクセスネットワーク（ＲＡＮ）は、プロトコルデータユニット（ＰＤＵ）セッションごとに１つ又は複数のデータ無線ベアラ（ＤＲＢ）を確立している。ＲＡＮは、アップリンクトラフィック（ＵＬ）及びダウンリンクトラフィック（ＤＬ）ＱｏＳフローをＤＲＢと関連付ける。ＤＲＢは、無線インタフェース（Ｕｕ）上のパケット処理を規定する。ＤＲＢは、同一のパケット転送処理を用いてパケットを供給する。"３ＧＰＰ−３８８０４"に規定されるように、異なるパケット転送処理を必要とするＱｏＳフローのために、別個のＤＲＢが確立され得る。予想されるＱｏＳが実現されることを確認するために、承認制御の出力に基づいて適切なＤＲＢが確立される。さらに、ネットワークは、「修正ベアラコンテキスト要求」メッセージを介して、確立されたベアラにおける動的なＱｏＳ修正を提供し、詳細な説明は、３ＧＰＰ−３６３３１及び３ＧＰＰ−２４３０１のリファレンスと共に３ＧＰＰ仕様書において確認され得る。これは、例えば、予想されるＱｏＳ及び／又はカバレッジ変化に関する、ネットワークからＵＥ（又は、それらのグループ）への「早期の」通知スキームを提供しないという難しい判断である。この機能は、アプリケーション又はＵＥが、予想されるＱｏＳ変化に関して十分に早く通知され、ネットワークとネゴシエートし、例えば、実際のＱｏＳ修正の前に、アプリケーション層構成を適合することができない。
【０００６】
さらに、従来のスキーム（例えば、ロングタームエボリューション（ＬＴＥ）、第５世代（５Ｇ））では、特定の時間及び／又は特定の位置においてＱｏＳパラメータの値の予測を全く提供しておらず、結果として、それらは、アプリケーションエンティティに対する予測又は素早い通知を有効にするサブスクリプションメカニズムを全く提供していない。
【０００７】
従来のデバイス及び方法のさらなる課題は以下のとおりである。
・ＱｏＳ機能の予測の構成及び有効化に関する手順をどのように確立し、何が現在の５Ｇアーキテクチャに影響を与えるのかが今のところ判定されていない。
・ＱｏＳ変化の予測（Ｐ−ＱｏＳ）は、例えば、予測の粒度又は精度、及び、Ｖ２Ｘサービスに対する要件に基づいて、ネットワーク及びＱｏＳの異なるモニタリングを要求する。さらに、異なる可能な配置又は分散されたＰ−ＱｏＳ要素を仮定すると、例えば、どのエンティティにより、異なるＶ２Ｘサービスの抽象化のどのレベルで、どのモニタリングが必要とされるかが今のところ判定されていない。
・ＱｏＳ変化の予測に関する機能は、管理プレーン（ＭＰ）及びＭＰ−ｔｏ−ＣＰインタフェース（例えば、ＳＢＩ）にも影響を与え得る。例えば、Ｐ−ＱｏＳの事前運用（すなわち、どのようにＮＥの管理が、Ｐ−ＱｏＳネットワーク機能（ＮＦ）をサポートするように拡張される必要があるか）に対するＭＰの役割、及び、運用又は保守フェーズが判定される必要がある。
【０００８】
さらに、従来のデバイス及び方法には、（例えば、ＵＥ（例えば、車両）のモビリティ情報、アプリケーションの挙動、マップ情報、及び、ネットワーク情報に基づいた）ＱｏＳ及び／又はカバレッジにおける変化の予測をサポートしていないというデメリットがある。
【０００９】
さらに、従来のデバイス及び方法は、例えば、ＱｏＳ変化の予測のためのサービスに対するサブスクリプション、予測を有効する対応するモニタリング要求、アプリケーションとネットワーク（例えば、車両側におけるＶ２Ｘアプリケーション）との間のＱｏＳネゴシエーション、提供されるＱｏＳ及び／又はカバレッジの変化のための関連するアプリケーションの早期通知などをサポートしていない。
【００１０】
説明される特徴及び機能は、特定の将来の５Ｇサービス、例えば、Ｖ２Ｘの安全性及び効率性により必要とされ、従来のデバイス及び方法によりサポートされていない。
【発明の概要】
【００１１】
上述した課題及びデメリットを考慮して、本発明の目的は、通信ネットワークにおける通信サービスのためのＱｏＳ機能を提供するために、従来の解決手段を改善することである。
【００１２】
本発明の目的は、添付の独立請求項において提供される解決手段により実現される。本発明の有利な実装は、従属請求項においてさらに規定されている。
【００１３】
特に、本発明は、通信ネットワーク内のアプリケーションエンティティの通信サービスに関するＱｏＳ機能を提供するためのデバイスを提案する。具体的には、デバイスは、アプリケーションエンティティの通信サービスのＱｏＳ及び／又はＱｏＳにおける変化を判定し得る。
【００１４】
いくつかの実施形態において、ＱｏＳ機能（これ以降、予測ＱｏＳ「Ｐ−ＱｏＳ」機能とも称される）は、例えば、ＱｏＳを判定し、ＱｏＳを予測し、ＱｏＳにおける変化を判定し、ＱｏＳにおける変化、及び／又は、アプリケーションエンティティ（例えば、Ｖ２Ｘアプリケーションエンティティ）の特定の通信サービスのためのカバレッジを予測（及び／又は、非常に速く検出）し、（例えば、履歴情報又は統計に基づいて）ＱｏＳの潜在的な変化を識別することを可能にする通信システム内の予測機能に基づき得る。以下では、用語「ＱｏＳ機能」及び「Ｐ−ＱｏＳ機能」は、区別することなく用いられる。
【００１５】
本開示を特定の機能に限定することなく、ＱｏＳ機能（例えば、Ｐ−ＱｏＳ機能）は、個別のネットワーク機能であってよく、異なるネットワークエンティティ間で分散されてよく、既存の機能又はネットワークエンティティ（例えば、第５世代（５Ｇ）通信システムのポイント調整機能（ＰＣＦ）、セッション管理機能（ＳＭＦ）、ネットワーク及びデータ分析機能（ＮＷＤＡＦ）、Ｖ２Ｘ制御機能、アプリケーション機能（ＡＦ））などの一部であってよい。例えば、ＱｏＳ機能は、プロトコルデータユニット（ＰＤＵ）セッションのための予想されるＱｏＳの安定性又は変化を判定する（例えば、トラフィック分散に関するＱｏＳ変動を判定する）こと、予想されるカバレッジ変化、グループベースのＱｏＳ予想、推定されるネットワーク状況（例えば、抽象化されたチャネル状態、ネットワークの利用可能性、輻輳状況、負荷状況など）を判定すること、特定のエリア内の平均の干渉レベルを判定すること、平均の単一又はグループベースのモビリティを判定すること、ハンドオーバ失敗率の確率を判定することなどを含んでよい、又は、含まなくてよい。
【００１６】
例として、ＱｏＳ機能（例えば、Ｐ−ＱｏＳ機能）は、通信のタイプ、例えば、サイドリンク（ＰＣ５）通信、セルラ（Ｕｕ）通信、両方の通信の組み合わせ、デュアルコネクティビティモードなどの通知を提供してよい。さらに、ＱｏＳ機能は、ＲＡＮ側、及び／又は、（例えば、コア及びＲＡＮ側）形成されたエンドツーエンド通信経路のいずれかに適合されてよい。
【００１７】
これにより、主な利点は、要約すると以下のとおりとなり得る。
・提供される通信サービスの信頼性及び利用可能性を高める。
・特に、通信ネットワークにおける重要なサービスに対する通信サービスのＱｏＳにおける変化の影響を減らす。
・通信ネットワーク及びＶ２Ｘサービス又はＶ２Ｘアプリケーションの柔軟性を高める。
・安全性に関連するＶ２Ｘ通信に対して不可欠な要件であるＶ２Ｘアプリケーションに対して予想されるＱｏＳリンク品質（すなわち、予測可能又は保証された遅延、信頼性及びスループット）を維持及び／又は保証する。
・５Ｇ通信システムによる継続的なサービスを提供し、サービス低下率を抑える。
などである。
【００１８】
本発明の第１態様は、複数のネットワークエンティティを備える通信ネットワーク内の少なくとも１つのアプリケーションエンティティの少なくとも１つの通信サービスに関するサービス品質（ＱｏＳ）機能を提供するためのデバイスを提供し、デバイスは、少なくとも１つのアプリケーションエンティティ、少なくとも１つのネットワークエンティティ、及び、少なくとも１つのユーザ機器のうちの１つ又は複数に、モニタリング要求を伝送し、少なくとも１つのアプリケーションエンティティ、少なくとも１つのネットワークエンティティ、及び、少なくとも１つのユーザ機器のうちの１つ又は複数からモニタリング応答を取得し、取得したモニタリング応答に基づいて、少なくとも１つのアプリケーションエンティティの少なくとも１つの通信サービスのＱｏＳにおける変化を判定し、通信ネットワーク内の少なくとも１つのアプリケーションエンティティに、及び／又は、ネットワークエンティティのうちの少なくとも１つに、ＱｏＳにおける判定した変化に基づいた情報を伝送するように構成される。
【００１９】
例えば、デバイスは、異なるタイプの通信サービス及び異なるタイプの通信リンク（Ｕｕ、ＰＣ５）をサポートする通信システムにおいて、ＱｏＳ機能を提供してよい（例えば、エンドツーエンドのＱｏＳ及び／又はカバレッジレベル変化の判定、予測、通知及びネゴシエーションを有効にする）。
【００２０】
いくつかの実施形態において、Ｖ２Ｘアプリケーションエンティティは、サブスクライブするように構成されてよく、さらに、ＱｏＳ機能（例えば、予測サービスを有効にし、ＱｏＳを判定し、ＱｏＳにおける変化を判定し、カバレッジレベルにおける変化を判定する、など）を提供するよう、デバイス（及び／又は、通信ネットワーク）に要求してよい。さらに、複数のネットワークエンティティ（例えば、ＲＡＮ、コアネットワーク）、ＵＥ及びアプリケーションエンティティは、情報（例えば、アプリケーション層、ネットワーク層、無線層など）をデバイスに、及び／又は、デバイスのＱｏＳ機能に報告するように構成されてよい。さらに、デバイスは、（例えば、個々のエンティティとして、又は、別のコアネットワーク機能の一部として、）通信ネットワーク内にあってよく、さらに、ＱｏＳ機能、ＱｏＳ変化及びカバレッジの予測などを提供するように構成されてよい。さらに、ＱｏＳ機能の結果に基づいて、デバイス及び／又は通信ネットワークは、最初に合意されたＱｏＳにおける予想される変化、及び／又は、カバレッジレベルにおける変化について、Ｖ２Ｘアプリケーションエンティティに通知してよい。例えば、デバイスは（例えば、そのＱｏＳ機能）は、（すなわち、別のＱｏＳレベルが利用可能である場合）ＱｏＳに関する別の提案などを提供してよい。通知は、ＱｏＳにおける変化及び／又はカバレッジプロビジョンを説明するために、位置情報、タイミング情報及び確率情報を含んでよい。
【００２１】
例えば、適切なＱｏＳに対する合意のために、Ｖ２Ｘアプリケーションエンティティと通信ネットワークとの間のネゴシエーションが行われ得る。ＱｏＳ変化に関する通知は、ＱｏＳの維持のための再構成を可能するために、アプリケーションエンティティに、及び／又は、ネットワークエンティティ（ＲＡＮ、コアネットワーク）のうちの少なくとも１つに報告されてよい。
【００２２】
いくつかの実施形態において、２つの異なるモバイルネットワークオペレータ（ＭＮＯ）の通信ネットワーク又はＰＬＭＮは、第１ＭＮＯから第２ＭＮＯへとローミングするＵＥ（又は、それらのグループ）のためのＱｏＳ機能（例えば、予測サービス）を構成するようにインタラクトしてよい。さらに、２つ又はそれより多くのＭＮＯは、例えば、同一のサービスに加わるＵＥが異なるＭＮＯに所属させられ、予測サービスが有効にされる実施形態において、ＱｏＳ変化に関する通知及び／又は構成を交換してよい。ＭＮＯのネットワーク管理プレーン（ＮＭＳ）は、ＭＮＯがサポートできるＱｏＳ及び／又はカバレッジレベル変化の予測サービスをさらに構成してよい。
【００２３】
第１態様の実装形式において、デバイスは、少なくとも１つのアプリケーションエンティティの少なくとも１つの通信サービスのＱｏＳにおける変化を判定するために、少なくとも１つのアプリケーションエンティティのサブスクリプション要求に応じて、ＱｏＳ機能に対する少なくとも１つのアプリケーションエンティティのサブスクリプションを有効するようにさらに構成される。
【００２４】
（通信ネットワーク内にあり得る、又は、通信ネットワークに入り得る）異なるアプリケーションエンティティがデバイスのＱｏＳ機能に対するサブスクリプションを要求し得るので、これは有益である。さらに、異なるアプリケーションエンティティのサブスクリプションが有効にされてよい。
【００２５】
デバイス及び／又は通信ネットワークは、選択的に有効になってよく、結果として、ＱｏＳ機能に対する異なるアプリケーションエンティティのサブスクリプションを制御してよい。
【００２６】
第１態様のさらなる実装形式において、デバイスは、ＱｏＳにおける判定した変化を示す追加のＱｏＳを提供することにより、少なくとも１つのアプリケーションエンティティに、及び／又は、ネットワークエンティティのうちの少なくとも１つに、ＱｏＳにおける判定した変化を通知するようにさらに構成される。これは、ＱｏＳにおける判定した変化、特に、そのようなＱｏＳにおける変化に基づいた情報を伝送することにより行われ得る。
【００２７】
特定の将来の５Ｇサービス、例えば、Ｖ２Ｘの安全性では、ＱｏＳ及び／又はカバレッジにおける変化の早期通知を関連するアプリケーションエンティティに要求し得るので、これは有益である。デバイスは、ＱｏＳを判定し、ＱｏＳにおける変化を判定してよく、さらに、例えば、ＱｏＳにおける判定した変化が示される追加の通知を提供してよく、アプリケーションエンティティ及び／又はネットワークエンティティが通知されてよい。
【００２８】
第１態様のさらなる実装形式において、ＱｏＳ機能に対する少なくとも１つのアプリケーションエンティティのサブスクリプションは、少なくとも１つのアプリケーションエンティティから通信ネットワークに提供されるサブスクリプションパラメータに基づいて有効にされる。
【００２９】
アプリケーションエンティティがサブスクリプションパラメータを提供してよく、デバイス、例えば、そのＱｏＳ機能及び／又は通信ネットワークは、ＱｏＳ機能に対するアプリケーションエンティティのサブスクリプションを有効にしてよいので、これは有益である。
【００３０】
第１態様のさらなる実装形式において、サブスクリプションパラメータは、プロトコルデータユニット（ＰＤＵ）セッション識別番号（ＩＤ）と、ビークルツーエブリシング（Ｖ２Ｘ）通信サービスＩＤと、単一又はグループの影響を受けるビークルツーエブリシングユーザ機器（Ｖ２Ｘ−ＵＥ）ＩＤと、ＱｏＳ機能に対するサブスクリプション要求のタイミングウィンドウ及び／又は頻度と、少なくとも１つの通信サービスのＱｏＳにおける変化の判定のための計画対象時間と、少なくとも１つの通信サービスのＱｏＳにおける変化の判定のための予め定められた地理的エリアと、少なくとも１つの通信サービスのＱｏＳにおける変化の閾値と、通信サービスの継続時間と、ＱｏＳ機能に対するセグメントベースのサブスクリプション又はエンドツーエンド（Ｅ２Ｅ）サブスクリプションと、少なくとも１つのアプリケーションエンティティに対して必要とされる性能及びモニタリングエクスポージャと、通信サービスのために必要とされるＱｏＳと、プライマリＱｏＳが利用可能ではないと判定された場合に用いられることができる少なくとも１つ又は複数の代替的なＱｏＳレベルと、サイドリンク（ＰＣ５）及び／又はセルラ通信（Ｕｕ）を含むリンクのタイプとのうちの１つ又は複数を含む。
【００３１】
アプリケーションエンティティからデバイス及び／又は通信ネットワークに異なるサブスクリプションパラメータが提供されるので、これは有益である。さらに、ＱｏＳ機能に対するアプリケーションエンティティのサブスクリプションが有効されてよい。
【００３２】
第１態様のさらなる実装形式において、伝送されるモニタリング要求は、モニタリングパラメータと、モニタリングレベルと、モニタリング応答の継続時間及び粒度と、モニタリング要求の位置情報とのうちの１つ又は複数を含む。
【００３３】
ＱｏＳ機能を提供すること（例えば、ＱｏＳを判定すること）は、通信ネットワーク及び／又はＱｏＳの異なるモニタリングを要求してよいので、これは有益である。例えば、モニタリングは、予測の粒度／精度及びＶ２Ｘサービスに基づいている。
【００３４】
第１態様のさらなる実装形式において、少なくとも１つの通信サービスのＱｏＳにおける変化は、少なくとも１つのアプリケーションエンティティのモビリティ情報と、少なくとも１つのアプリケーションエンティティの挙動と、マップ情報と、ＵＥ及び／又は通信ネットワークの位置の組み合わせを表す履歴情報及び／又は無線情報と、通信ネットワークの特性とのうちの１つ又は複数に基づいて判定される。
【００３５】
マップ情報、位置情報、アプリケーションエンティティの挙動など異なるパラメータがＱｏＳにおいて変化し得るので、これは有益である。さらに、ＱｏＳにおける変化が判定されてよく、通知が提供されてよい。
【００３６】
第１態様のさらなる実装形式において、ＱｏＳにおける判定した変化を通知することは、サイドリンク（ＰＣ５）通信及びセルラ通信（Ｕｕ）のうちの少なくとも１つを含む通信サービスのタイプに基づいて、少なくとも１つのアプリケーションエンティティに、及び／又は、ネットワークエンティティのうちの少なくとも１つに通知を提供することを有する。
【００３７】
ＱｏＳ機能が、通信のタイプ、例えば、サイドリンク（ＰＣ５）、セルラ（Ｕｕ）、両方の組み合わせ、デュアルコネクティビティモードなどに基づき得る通知を提供し得るので、これは有益である。さらに、判定したＱｏＳ及び／又はＱｏＳにおける判定した変化が提供されてよい。
【００３８】
第１態様のさらなる実装形式において、ＱｏＳにおける判定した変化を通知することは、少なくとも１つのアプリケーションエンティティに、及び／又は、ネットワークエンティティのうちの少なくとも１つに、
プロトコルデータユニット（ＰＤＵ）セッション識別番号（ＩＤ）と、ビークルツーエブリシング（Ｖ２Ｘ）通信サービスＩＤと、サイドリンク（ＰＣ５）及び／又はセルラ通信（Ｕｕ）を含むリンクのタイプと、単一又はグループの影響を受けるビークルツーエブリシングユーザ機器（Ｖ２Ｘ−ＵＥ）ＩＤと、ＱｏＳパラメータと、ＱｏＳにおける新たなレベルに対する提案と、ＱｏＳにおける変化のタイミング情報と、ＱｏＳにおける変化の位置情報と、ユーザ機器（ＵＥ）ごとのＱｏＳのレベルと、ＵＥのタイミング情報と、ＱｏＳにおける変化に関する確率情報とのうちの１つ又は複数を含む通知を提供することを有する。ＱｏＳにおける判定した変化が提供され得るので、これは有益である。
【００３９】
第１態様のさらなる実装形式において、少なくとも１つの通信サービスは、ビークルツーエブリシング（Ｖ２Ｘ）通信サービスを含む。
【００４０】
通信サービスがＶ２Ｘ通信サービスであってよいので、これは有益である。例えば、車両は、当該車両に影響を与え得る別のネットワークエンティティと通信する必要があり得る。さらに、Ｖ２ＸサービスのＱｏＳが判定などされ得る。
【００４１】
第１態様のさらなる実装形式において、アプリケーションエンティティは、Ｖ２Ｘアプリケーションエンティティに基づいている。例えば、アプリケーションエンティティは、車両又はモバイルデバイスなどであってよい。
【００４２】
第１態様のさらなる実装形式において、Ｖ２Ｘアプリケーションエンティティは、Ｖ２Ｘ通信サービスのためのアプリケーションサーバと、ＵＥを表すＶ２Ｘアプリケーションクライアントと、公衆陸上移動体ネットワークＰＬＭＮ独自のアプリケーション機能を表すアプリケーション機能（ＡＦ）と、アプリケーションサーバと通信ネットワークとの間に位置付けられるミドルウェアアプリケーションエンティティとのうちの１つ又は複数を含む。
【００４３】
本開示は、特定のタイプのアプリケーションエンティティに限定されることはない。異なるタイプのアプリケーションエンティティ、例えば、Ｖ２Ｘアプリケーションエンティティ、アプリケーションサーバ、ＡＦなどは、異なるタイプの通信サービスを有してよく、さらに、ＱｏＳ機能に対するサブスクリプションを要求してよい。さらに、異なるタイプのアプリケーションエンティティの通信サービスのためのＱｏＳ機能が提供されてよい。
【００４４】
第１態様のさらなる実装形式において、Ｖ２Ｘ通信サービスのためのアプリケーションサーバは、Ｖ２Ｘアプリケーションサーバ（Ｖ２Ｘ  ＡＳ）と、グループ通信システムアプリケーションサーバ（ＧＣＳ−ＡＳ）と、コンテンツプロバイダとのうちの１つ又は複数を含む。
【００４５】
第１態様のさらなる実装形式において、デバイスは、スライスベースのアーキテクチャに基づいて、少なくとも１つの通信サービスのＱｏＳにおける変化を判定するようにさらに構成される。
【００４６】
特定のスライスに対して適切な量のネットワークリソースが割り当てられ得るので、これは有益である。
【００４７】
第１態様のさらなる実装形式において、通信サービスは、ダイレクト車車間（Ｖ２Ｖ）通信サービスに基づいており、アプリケーションエンティティは、ＵＥに基づいている。
【００４８】
例えば、アプリケーションエンティティは、車両などのＵＥであってよく、さらに、車両は、別の車両とさらに通信してよい。
【００４９】
第１態様のさらなる実装形式において、デバイスは、サイドリンク（ＰＣ５）パラメータをＵＥに提供するためのビークルツーエブリシング制御機能（Ｖ２ＸＣＦ）を提供するようにさらに構成される。サイドリンク（ＰＣ５）パラメータがＵＥに提供され得るので、これは有益である。
【００５０】
第１態様のさらなる実装形式において、デバイスは、ビークルツーエブリシング制御機能（Ｖ２ＸＣＦ）を介して、ＱｏＳ機能のための進化型プロビジョニングポリシを表す通知メッセージをＵＥに提供するようにさらに構成される。例えば、いくつかの実施形態において、ダイレクト車車間通信が提供されてよい。
【００５１】
第１態様のさらなる実装形式において、ＵＥに提供される通知メッセージは、サイドリンク（ＰＣ５）パラメータと、パケット遅延バジェット（ＰＤＢ）へのパケット優先度サービス品質ごとの近接サービスＰｒｏＳＥ（ＰＰＰＰ／ＱｏＳ）クラスのマッピングと、現在のＱｏＳ及びＱｏＳにおける予測される変化に対するパケットエラー率（ＰＥＲ）と、現在のＱｏＳ及びＱｏＳにおける判定した変化に関する無線パラメータと、ＵＥが、無線パラメータを変化すること、又は、サイドリンク（ＰＣ５）を介したビークルツーエブリシング（Ｖ２Ｘ）通信サービスのためのパケット優先度ごとの近接サービス（ＰｒｏＳＥ）（ＰＰＰＰ）をマッピングすることを示すタイマー情報（Ｔｘｘｘｘ）とのうちの１つ又は複数を含む。
【００５２】
デバイスがＵＥに通知してよく、当該通知がＶ２ＸＣＦにより提供され得るので、これは有益である。
【００５３】
第１態様のさらなる実装形式において、通信システムは、５Ｇ通信システムに基づいている。
【００５４】
本開示を限定することなく、いくつかの実施形態において、通信システムは５Ｇに基づいてよい。
【００５５】
第１態様のさらなる実装形式において、デバイスは、特定のＱｏＳレベルを維持するために、ＱｏＳにおける判定した変化に基づいて、ネットワーク再構成をトリガするようにさらに構成される。
【００５６】
例えば、ＱｏＳ機能は、特定のＱｏＳレベルを維持するために、ネットワーク再構成をトリガするために用いられてよい。
【００５７】
第１態様のさらなる実装形式において、デバイスは、少なくとも１つのアプリケーションエンティティに、及び／又は、ネットワークエンティティのうちの少なくとも１つに、ＱｏＳにおける判定した変化の精度を示すアラート通知を提供するようにさらに構成される。
【００５８】
例えば、予め定められた基準に対して、予測がより低い精度を有する場合、ＱｏＳ変化について、急速な通知が伝送され得るので、これは有益である。
【００５９】
第１態様のさらなる実装形式において、デバイスは、ＱｏＳ機能に対する少なくとも１つのアプリケーションエンティティのサブスクリプションを無効にする及び／又は修正するようにさらに構成される。
【００６０】
例えば、位置の変化がＱｏＳ機能に関する精度の異なるレベルを表し得るので、これは有益である。さらに、既存のサブスクリプションが更新及び／又は修正されてよい。
【００６１】
本発明の第２態様は、複数のネットワークエンティティを備える通信ネットワーク内の少なくとも１つのアプリケーションエンティティの少なくとも１つの通信サービスに関するサービス品質（ＱｏＳ）機能を提供するための方法を提供し、方法は、少なくとも１つのアプリケーションエンティティ、少なくとも１つのネットワークエンティティ、及び、少なくとも１つのユーザ機器のうちの１つ又は複数に、モニタリング要求を伝送する段階と、少なくとも１つのアプリケーションエンティティ、少なくとも１つのネットワークエンティティ、及び、少なくとも１つのユーザ機器のうちの１つ又は複数からモニタリング応答を取得する段階と、取得したモニタリング応答に基づいて、少なくとも１つのアプリケーションエンティティの少なくとも１つの通信サービスのサービス品質（ＱｏＳ）における変化を判定する段階と、通信ネットワーク内の少なくとも１つのアプリケーションエンティティに、及び／又は、ネットワークエンティティのうちの少なくとも１つに、ＱｏＳにおける判定した変化を伝送する段階とを備える。
【００６２】
第２態様の実装形式において、方法は、少なくとも１つのアプリケーションエンティティの少なくとも１つの通信サービスのＱｏＳにおける変化を判定するために、少なくとも１つのアプリケーションエンティティのサブスクリプション要求に応じて、ＱｏＳ機能に対する少なくとも１つのアプリケーションエンティティのサブスクリプションを有効する段階をさらに備える。
【００６３】
第２態様のさらなる実装形式において、方法は、ＱｏＳにおける判定した変化を示す追加のＱｏＳを提供することにより、少なくとも１つのアプリケーションエンティティに、及び／又は、ネットワークエンティティのうちの少なくとも１つに、ＱｏＳにおける判定した変化を通知する段階をさらに備える。
【００６４】
第２態様のさらなる実装形式において、ＱｏＳ機能に対する少なくとも１つのアプリケーションエンティティのサブスクリプションは、少なくとも１つのアプリケーションエンティティから通信ネットワークに提供されるサブスクリプションパラメータに基づいて有効にされる。
【００６５】
第２態様のさらなる実装形式において、サブスクリプションパラメータは、プロトコルデータユニット（ＰＤＵ）セッション識別番号（ＩＤ）と、ビークルツーエブリシング（Ｖ２Ｘ）通信サービスＩＤと、単一又はグループの影響を受けるビークルツーエブリシングユーザ機器（Ｖ２Ｘ−ＵＥ）ＩＤと、ＱｏＳ機能に対するサブスクリプション要求のタイミングウィンドウ及び／又は頻度と、少なくとも１つの通信サービスのＱｏＳにおける変化の判定のための計画対象時間と、少なくとも１つの通信サービスのＱｏＳにおける変化の判定のための予め定められた地理的エリアと、少なくとも１つの通信サービスのＱｏＳにおける変化の閾値と、通信サービスの継続時間と、ＱｏＳ機能に対するセグメントベースのサブスクリプション又はエンドツーエンド（Ｅ２Ｅ）サブスクリプションと、少なくとも１つのアプリケーションエンティティに対して必要とされる性能及びモニタリングエクスポージャと、通信サービスのために必要とされるＱｏＳと、プライマリＱｏＳが利用可能ではないと判定された場合に用いられることができる少なくとも１つ又は複数の代替的なＱｏＳレベルと、サイドリンク（ＰＣ５）及び／又はセルラ通信（Ｕｕ）を含むリンクのタイプとのうちの１つ又は複数を含む。
【００６６】
第２態様のさらなる実装形式において、伝送されるモニタリング要求は、モニタリングパラメータと、モニタリングレベルと、モニタリング応答の継続時間及び粒度と、モニタリング要求の位置情報とのうちの１つ又は複数を含む。
【００６７】
第２態様のさらなる実装形式において、少なくとも１つの通信サービスのＱｏＳにおける変化は、少なくとも１つのアプリケーションエンティティのモビリティ情報と、少なくとも１つのアプリケーションエンティティの挙動と、マップ情報と、ＵＥ及び／又は通信ネットワークの位置の組み合わせを表す履歴情報及び／又は無線情報と、通信ネットワークの特性とのうちの１つ又は複数に基づいて判定される。
【００６８】
第２態様のさらなる実装形式において、方法は、サイドリンク（ＰＣ５）通信及びセルラ通信（Ｕｕ）のうちの少なくとも１つを含む通信サービスのタイプに基づいて、少なくとも１つのアプリケーションエンティティに、及び／又は、ネットワークエンティティのうちの少なくとも１つに通知を提供すう段階をさらに備える。
【００６９】
第２態様のさらなる実装形式において、方法は、少なくとも１つのアプリケーションエンティティに、及び／又は、ネットワークエンティティのうちの少なくとも１つに、プロトコルデータユニット（ＰＤＵ）セッション識別番号（ＩＤ）と、ビークルツーエブリシング（Ｖ２Ｘ）通信サービスＩＤと、サイドリンク（ＰＣ５）及び／又はセルラ通信（Ｕｕ）を含むリンクのタイプと、単一又はグループの影響を受けるビークルツーエブリシングユーザ機器（Ｖ２Ｘ−ＵＥ）ＩＤと、ＱｏＳパラメータと、ＱｏＳの新たなレベルに関する提案と、ＱｏＳにおける変化のタイミング情報と、ＱｏＳにおける変化の位置情報と、ユーザ機器（ＵＥ）ごとのＱｏＳのレベルと、ＵＥのタイミング情報と、ＱｏＳにおける変化に関する確率情報とのうちの１つ又は複数を含む通知を提供する段階をさらに備える。
【００７０】
第２態様のさらなる実装形式において、少なくとも１つの通信サービスは、ビークルツーエブリシング（Ｖ２Ｘ）通信サービスを含む。
【００７１】
第２態様のさらなる実装形式において、アプリケーションエンティティは、Ｖ２Ｘアプリケーションエンティティに基づいている。
【００７２】
第２態様のさらなる実装形式において、Ｖ２Ｘアプリケーションエンティティは、Ｖ２Ｘ通信サービスのためのアプリケーションサーバと、ＵＥを表すＶ２Ｘアプリケーションクライアントと、公衆陸上移動体ネットワークＰＬＭＮ独自のアプリケーション機能を表すアプリケーション機能（ＡＦ）と、アプリケーションサーバと通信ネットワークとの間に位置付けられるミドルウェアアプリケーションエンティティとのうちの１つ又は複数を含む。
【００７３】
第２態様のさらなる実装形式において、Ｖ２Ｘ通信サービスのためのアプリケーションサーバは、Ｖ２Ｘアプリケーションサーバ（Ｖ２Ｘ  ＡＳ）と、グループ通信システムアプリケーションサーバ（ＧＣＳ−ＡＳ）と、コンテンツプロバイダとのうちの１つ又は複数を含む。
【００７４】
第２態様のさらなる実装形式において、方法は、スライスベースのアーキテクチャに基づいて、少なくとも１つの通信サービスのＱｏＳにおける変化を判定する段階をさらに備える。
【００７５】
第２態様のさらなる実装形式において、通信サービスは、ダイレクト車車間（Ｖ２Ｖ）通信サービスに基づいており、アプリケーションエンティティは、ＵＥに基づいている。
【００７６】
第２態様のさらなる実装形式において、方法は、サイドリンク（ＰＣ５）パラメータをＵＥに提供するためのビークルツーエブリシング制御機能（Ｖ２ＸＣＦ）を提供する段階をさらに備える。
【００７７】
第２態様のさらなる実装形式において、方法は、ビークルツーエブリシング制御機能（Ｖ２ＸＣＦ）を介して、ＱｏＳ機能のための進化型プロビジョニングポリシを表す通知メッセージをＵＥに提供する段階をさらに備える。
【００７８】
第２態様のさらなる実装形式において、ＵＥに提供される通知メッセージは、サイドリンク（ＰＣ５）パラメータと、パケット遅延バジェット（ＰＤＢ）へのパケット優先度サービス品質ごとの近接サービスＰｒｏＳＥ（ＰＰＰＰ／ＱｏＳ）クラスのマッピングと、現在のＱｏＳ及びＱｏＳにおける予測される変化に対するパケットエラー率（ＰＥＲ）と、現在のＱｏＳ及びＱｏＳにおける判定した変化に関する無線パラメータと、ＵＥが、無線パラメータを変化すること、又は、サイドリンク（ＰＣ５）を介したビークルツーエブリシング（Ｖ２Ｘ）通信サービスのためのパケット優先度ごとの近接サービス（ＰｒｏＳＥ）（ＰＰＰＰ）をマッピングすることを示すタイマー情報（Ｔｘｘｘｘ）とのうちの１つ又は複数を含む。
【００７９】
第２態様のさらなる実装形式において、通信システムは、５Ｇ通信システムに基づいている。
【００８０】
第２態様のさらなる実装形式において、方法は、特定のＱｏＳレベルを維持するために、ＱｏＳにおける判定した変化に基づいて、ネットワーク再構成をトリガする段階をさらに備える。
【００８１】
第２態様のさらなる実装形式において、方法は、少なくとも１つのアプリケーションエンティティに、及び／又は、ネットワークエンティティのうちの少なくとも１つに、ＱｏＳにおける判定した変化の精度を示すアラート通知を提供する段階をさらに備える。
【００８２】
第２態様のさらなる実装形式において、方法は、ＱｏＳ機能に対する少なくとも１つのアプリケーションエンティティのサブスクリプションを無効にする及び／又は修正する段階をさらに備える。
【００８３】
本願において説明されるすべてのデバイス、要素、ユニット及び手段は、ソフトウェアもしくはハードウェア要素又はこれらの任意の種類の組み合わせにおいて実装され得ることを留意されたい。本願において説明されるさまざまなエンティティにより実行されるすべての段階、同様に、さまざまなエンティティにより実行されるように説明される機能は、それぞれのエンティティが、それぞれの段階及び機能を実行するように適合される、又は、そのように構成されることを意味することを目的としている。具体的な実施形態の以下の説明において、外部のエンティティにより実行される特定の機能又は段階が、特定の段階又は機能を実行するそのエンティティの特定の詳細な要素の説明において反映されていない場合であっても、これらの方法及び機能は、それぞれのソフトウェアもしくはハードウェア要素、又は、これらの任意の種類の組み合わせにおいて実装され得ることが当業者に明らかとなるはずである。
【図面の簡単な説明】
【００８４】
本発明の上述した態様及び実装形式は、添付の図面に関連して具体的な実施形態についての以下の説明において説明される。
【図１】本発明の実施形態に係る通信ネットワーク内のアプリケーションエンティティの通信サービスに関するサービス品質（ＱｏＳ）機能を提供するためのデバイスの概略図を示す。
【図２】本発明の実施形態に係るアプリケーションエンティティの通信サービスに関するサービス品質機能を有効にし、プロビジョニングするためのデバイスを含むシステムの概略図を示す。
【図３】ＱｏＳ機能の有効化、通信ネットワークの構成及びＱｏＳ機能の提供に関する例示的な手順のフロー図を示す。
【図４】ＱｏＳ機能に対するモニタリングの有効化に関する例示的な手順のフロー図を示す。
【図５】ＱｏＳ機能のローカル予測に対するモニタリングの有効化に関する例示的な手順のフロー図を示す。
【図６ａ】アプリケーション機能及びアプリケーションサーバのそれぞれに、ＱｏＳにおける変化を通知するためのメッセージシーケンスチャート（ＭＳＣ）の例を概略的に示す。
【図６ｂ】アプリケーション機能及びアプリケーションサーバのそれぞれに、ＱｏＳにおける変化を通知するためのメッセージシーケンスチャート（ＭＳＣ）の例を概略的に示す。
【図７ａ】ユーザ機器（ＵＥ）のＶ２Ｘアプリケーションエンティティに、ＱｏＳにおける変化を通知するためのＭＳＣの例を概略的に示す。
【図７ｂ】ユーザ機器（ＵＥ）のＶ２Ｘアプリケーションエンティティに、ＱｏＳにおける変化を通知するためのＭＳＣの例を概略的に示す。
【図８】スライス管理システムによるＰ−ＱｏＳ機能の構成のための手順を概略的に示す。
【図９】Ｐ−ＱｏＳ機能に関するＰＣ５パラメータの構成のための手順を概略的に示す。
【図１０】ローミングサービスを用いて、マルチＭＮＯ環境において、ＮＥＦ間インタラクションに基づいてＰ−ＱｏＳサブスクリプション要求を伝送するための手順を概略的に示す。
【図１１ａ】ローミングサービスを用いて、マルチＭＮＯ環境において、ＰＬＭＮ間制御プレーンに基づいてＰ−ＱｏＳサブスクリプション要求を伝送するための手順を概略的に示す。
【図１１ｂ】ローミングサービスを用いて、マルチＭＮＯ環境において、ＰＬＭＮ間制御プレーンに基づいてＰ−ＱｏＳサブスクリプション要求を伝送するための手順を概略的に示す。
【図１２ａ】アプリケーションエンティティが異なるＭＮＯに所属させられているマルチＭＮＯ環境において、ＱｏＳ機能を提供するための例示的なＭＳＣを概略的に示す。
【図１２ｂ】アプリケーションエンティティが異なるＭＮＯに所属させられているマルチＭＮＯ環境において、ＱｏＳ機能を提供するための例示的なＭＳＣを概略的に示す。
【図１２ｃ】アプリケーションエンティティが異なるＭＮＯに所属させられているマルチＭＮＯ環境において、ＱｏＳ機能を提供するための例示的なＭＳＣを概略的に示す。
【図１３】本発明の実施形態に係る通信ネットワーク内のアプリケーションエンティティの通信サービスに関するサービス品質（ＱｏＳ）機能を提供するための方法の概略図を示す。
【発明を実施するための形態】
【００８５】
図１は、本発明の実施形態に係る通信ネットワーク１内のアプリケーションエンティティ１１０の通信サービス１１１に関するサービス品質（ＱｏＳ）機能を提供するためのデバイス１００を示す。
【００８６】
通信ネットワークは、さらに、ユーザ機器１２０及び複数のネットワークエンティティ１１２、１１３及び１１４を含んでよい。いくつかの実施形態において、デバイス及び／又はアプリケーションエンティティ及び／又はネットワークエンティティ及び／又はユーザ機器１２０は、互いに通信するように構成されてよく、１つ又は複数の通信ネットワークにあってよく、特定のネットワーク構成に本開示を限定することなく、１つ又は複数のＰＬＭＮなどにあってよい。さらに、複数のネットワークエンティティ１１２、１１３及び１１４は、無線アクセスネットワーク（ＲＡＮ）ノード（例えば、基地局）又はコアネットワーク（ＣＮ）エンティティ（例えば、ＮＷＤＡＦ、ＳＭＦ、ＰＣＦ、ＵＰＦ、アクセス及びモビリティ管理機能（ＡＭＦ）など）に基づいてよい。
【００８７】
デバイス１００は、アプリケーションエンティティ１１０、少なくとも１つのネットワークエンティティ（例えば、図１における１１２）及びユーザ機器１２０のうちの１つ又は複数にモニタリング要求１０１を伝送するように構成される。例えば、モニタリング要求１０１は、異なるネットワークノードに伝送されてよく、さらに、通信サービスのＱｏＳ、ＱｏＳにおける変化などを判定するための情報の収集のために用いられてよい。
【００８８】
さらに、モニタリング要求１０１は、例えば、直接、又は、別のネットワークエンティティを介して、アプリケーションエンティティ１１０及び／又はＵＥ１２０に伝送されてよい。
【００８９】
デバイス１００は、アプリケーションエンティティ１１０、少なくとも１つのネットワークエンティティ１１２及びユーザ機器１２０のうちの１つ又は複数からモニタリング応答１０２を取得するようにさらに構成される。
【００９０】
説明されたように、デバイス１００は、アプリケーションエンティティ１１０（例えば、車両であり得る）にモニタリング要求１０１を伝送してよい。さらに、デバイス１００は、さらに、例えば、車両の経路、車両の軌道などであり得るアプリケーションエンティティ１１０からモニタリング応答１０２を取得してよい。
【００９１】
さらに、デバイス１００は、モニタリング要求１０１をＵＥ１２０（例えば、車両）に伝送してよい。さらに、デバイス１００はさらに、例えば、車両の経路、車両の軌道などであり得るＵＥ１２０からモニタリング応答１０２を取得してよい。
【００９２】
デバイス１００は、取得したモニタリング応答１０２に基づいて、少なくとも１つのアプリケーションエンティティ１１０の少なくとも１つの通信サービス１１１のサービス品質１０３の変化を判定するようにさらに構成される。
【００９３】
例えば、デバイスは、モニタリング要求がそれらに伝送されるネットワークエンティティのうちの１つ又は複数からモニタリング応答を取得してよい。さらに、例えば、通信サービスのＱｏＳ、通信サービスのＱｏＳにおける変化、カバレッジにおける変化などが判定されてよい。
【００９４】
デバイス１００は、通信ネットワーク１内の少なくとも１つのアプリケーションエンティティ１１０に、及び／又は、ネットワークエンティティ１１２、１１３及び１１４のうちの少なくとも１つにＱｏＳ１０３における判定した変化を伝送するようにさらに構成される。
【００９５】
例えば、デバイスは、ＱｏＳにおける変化を判定してよく、さらに、アプリケーションエンティティに、及び／又は、ネットワークエンティティのうちの１つ又は複数などに、ＱｏＳにおける変化（例えば、ＱｏＳ、ＱｏＳにおける変化、カバレッジレベルなど）を伝送してよい。
【００９６】
図２は、本発明の実施形態に係るアプリケーションエンティティ１１０の通信サービスに関するサービス品質（ＱｏＳ）機能を有効にし、提供するためのデバイス１００を含むシステム２００の概略図を示す。
【００９７】
システム２００におけるデバイス１００は、ＱｏＳ機能（例えば、Ｐ−ＱｏＳ機能）を有効にするために必要とされ得るいくつかの手順を実行する。
【００９８】
システム２００は、デバイス１００のＱｏＳ機能にサブスクリプション要求を送信するアプリケーションエンティティ１１０を含む。
【００９９】
デバイス１００は、アプリケーションエンティティ１１０のサブスクリプション要求に応じて、すべてのタイプのリンク及び／又はサービスに対する予測の有効化を実行する。サブスクリプション要求を有効にするために、例えば、アプリケーションエンティティの通信サービスのＱｏＳ及び／又はＱｏＳにおける変化が判定されてよい。
【０１００】
デバイス１００は、さらに、ＱｏＳ機能を有効にするために、及び／又は、提供するために、すべてのタイプのリンク及び／又はサービスに対して適切なノードへのモニタリング報告の有効化を実行する。例えば、デバイス１００は、ＲＡＮ２０１に、及び、通信ネットワーク１のＣＮ２０２におけるＮＷＤＡＦ、ＳＭＦ、ＰＣＦ、アクセス及びモビリティ管理機能（ＡＭＦ）及びＵＰＦを含むいくつかのネットワークエンティティに、モニタリング要求を伝送する。さらに、デバイス１００は、ＲＡＮ２０１から、及び、ＣＮ２０２におけるＮＷＤＡＦ、ＳＭＦ、ＰＣＦ、ＡＭＦ及びＵＰＦを含むネットワークエンティティのうちの１つ又は複数から、モニタリング応答を取得する。
【０１０１】
デバイス１００は、さらに、取得したモニタリング応答に基づいて、アプリケーションエンティティ１１０の通信サービスのＱｏＳにおける変化を判定して、アプリケーションエンティティ１１０のＱｏＳにおける判定した変化を伝送する。
【０１０２】
例えば、デバイス１００は、タイミング位置、確率情報などを用いて、ＱｏＳ変化及び／又はカバレッジの通知を提供することにより、アプリケーションエンティティを通知する。
【０１０３】
システム２００は、第１のモバイルネットワークオペレータＭＮＯ１を含む２つの異なるオペレータが第２のモバイルネットワークオペレータＭＮＯ２とインタラクトしているマルチオペレータに基づいている。インタラクションは、ローミング及び非ローミングの場合に基づいてよい。図２の実施形態において、デバイス１００、ＣＮ２０２におけるネットワークエンティティ、アプリケーションエンティティ１１０、及び、ＲＡＮ２０１は、本開示を異なるエンティティの特定の位置に限定することなく、第１ＭＮＯ１に含まれる。
【０１０４】
デバイス１００（及び／又はシステム２００）は、さらに、例えば、管理プレーンによりＰ−ＱｏＳの構成を実行する。
【０１０５】
以下では、本開示を通信システムの特定のタイプに限定することなく、例示的な５Ｇ通信システムとして用いて、ＱｏＳ機能（例えば、ネットワークＱｏＳの予測機能）を有効にし、提供するためのいくつかの例示的な手順が説明される。
【０１０６】
図３は、ＱｏＳ機能の有効化、通信ネットワークの構成及びＱｏＳ機能の提供に関する例示的な手順のフロー図を示す。図３に示されるエンティティは、ＵＥ３００、ＡＮ３０１、ＡＭＦ３０２、ＳＭＦ３０３、ＵＰＦ３０４、ＮＷＤＡＦ３０５、ＱｏＳ機能（例えば、Ｐ−ＱｏＳ機能）を提供するように構成されるデバイス１００、ＰＣＦ３０６、ネットワークエクスポージャ機能（ＮＥＦ）３０７、及び、アプリケーション機能１１０の形式のアプリケーションエンティティである。
【０１０７】
本開示を限定することなく、ＵＥ３００は、図１のＵＥ１２０と同様であってよい、及び／又は、機能的に同様であってよい。例えば、図１のＵＥ１２０及び図３のＵＥ３００は、同一の車両又は異なるタイプの車両などに基づき得る。
【０１０８】
ＱｏＳ機能（例えば、Ｐ−ＱｏＳ機能）を提供するために、Ｖ２Ｘアプリケーションエンティティは、予測ＱｏＳ（Ｐ−ＱｏＳ）機能をサポートするために、５Ｇ通信ネットワークにサブスクライブする。
【０１０９】
アプリケーションエンティティは、Ｐ−ＱｏＳサブスクリプションパラメータを５Ｇシステムに送信する。サブスクリプションパラメータは、
・プロトコルデータユニット（ＰＤＵ）セッション識別番号（ＩＤ）と、
・ビークルツーエブリシング（Ｖ２Ｘ）通信サービスＩＤと、
・単一又はグループの影響を受けるビークルツーエブリシングユーザ機器（Ｖ２Ｘ−ＵＥ）ＩＤと、
・ＱｏＳ機能に対するサブスクリプション要求のタイミングウィンドウ及び／又は頻度と、
・通信サービスのＱｏＳにおける変化の判定のための計画対象時間（例えば、ＱｏＳは通信ネットワークが次のｘ秒を提供することを保証し、ＱｏＳダウングレード又はＱｏＳアップグレードがＸ秒において行われる、など）と、
・通信サービスのＱｏＳにおける変化の判定のために予め定められた地理的エリア（例えば、ＱｏＳダウングレード／アップグレードが、ｘメートル又はｘ、ｙ、ｚの座標を用いた位置で行われる、など）と、
・少なくとも１つの通信サービスのＱｏＳにおける変化の閾値（例えば、通知対象の閾値）
・通信サービスの継続時間と、
・特定の予測能力（例えば、ＱｏＳ変化、カバレッジの外部、５ＧからＬＴＥへの移行など）と、
・ＱｏＳ機能に対するセグメントベースのサブスクリプション又はエンドツーエンド（Ｅ２Ｅ）サブスクリプション（この情報は、例えば、ローカル又はグローバル予測のための要件を識別するために必要とされ得る）と、
・少なくとも１つのアプリケーションエンティティに対して必要とされる性能及びモニタリングエクスポージャ（この情報は、サブスクリプション要求が有効にされ得るか否かを判定するために、通信ネットワークにより用いられてよい）と、
・通信サービスのために必要とされるＱｏＳと、
・プライマリＱｏＳが利用可能ではないと判定された場合に用いられ得る少なくとも１つ又は複数の代替的なＱｏＳレベルと、
・サイドリンク（ＰＣ５）及び／又はセルラ通信（Ｕｕ）を含むリンクのタイプと
のうちの１つ又は複数を含む。
【０１１０】
図３の実施形態において、ＱｏＳ機能の有効化（例えば、Ｐ−ＱｏＳ機能の有効化）は、例えば、アプリケーション機能（ＡＦ）に基づいており、５Ｇシステムを考慮したＶ２Ｘサービスのためのアプリケーションエンティティのサブスクリプション要求に応じて、有効にされ得る特徴として説明される。手順は、すべてのタイプのアプリケーションエンティティに対してより広く適用され得ることに留意されたい。例えば、アプリケーションエンティティは、アプリケーションサーバ、アプリケーション機能、ミドルウェアアプリケーションなどに基づいてよい。さらに、通信システムは、任意のタイプの（例えば、セルラ）通信システムであってもよい。
【０１１１】
段階３ａにおいて、最初に、ＡＦ１１０が、
・１つ又は複数のＶ２ＸサービスＩＤ、
・サブスクリプションパラメータのうちの１つ又は複数
を含むサービス要求メッセージを送信する。
【０１１２】
例えば、ＡＦ１１０は、サービスＩＤと、時間、エリア及び周期情報とを、ＮＥＦ３０７及びＰＣＦ３０６にそれぞれ送信する。
【０１１３】
次に、段階３ｂにおいて、ＰＣＦ３０６（又は、ポリシ制御及び課金の役割を担ってよい任意の関連するネットワーク機能）は、ＡＦ１１０の要求を受信した後に、Ｐ−ＱｏＳ有効化要求メッセージをデバイス１００（例えば、そのＰ−ＱｏＳ論理ユニット）に送信する。Ｐ−ＱｏＳ有効化要求メッセージは、
・１つ又は複数のＶ２ＸサービスＩＤ、
・１つ又は複数のＶ２Ｘ  ＵＥ  ＩＤ、
・Ｐ−ＱｏＳサブスクリプションパラメータ（例えば、時間、地理的エリア及び周期又はモニタリング要件に関連するパラメータ）のうちの１つ又は複数
を含む。
【０１１４】
段階３ｃにおいて、デバイス１００（例えば、そのＰ−ＱｏＳユニット）は、モニタリング有効化／サブスクリプション手順（図４において以下で詳細に説明される）を開始する。モニタリング有効化／サブスクリプション手順は、（例えば、リアルタイムのＵＥモニタリングのために）ＮＷＤＡＦ３０５への、及び、ＡＭＦ３０２及びＵＥ３００を介したＲＡＮへの分析有効化メッセージを要求に応じて含んでよい。
【０１１５】
次に、段階３ｄにおいて、通信ネットワークがこの機能をサポートでき、モニタリング応答が確認（ＡＣＫ）されていることを保証するために、デバイス１００（例えば、そのＰ−ＱｏＳ承認制御）は、おそらくＰＣＦ３０６と一緒に、ＱｏＳ機能に対するＡＦ１１０のサブスクリプションを有効にする。
【０１１６】
承認制御の結果として、段階３ｄでは、デバイス１００のＰ−ＱｏＳ機能は、Ｐ−ＱｏＳ有効化応答メッセージをアプリケーションエンティティ１１０に直接又はＮＥＦ３０７を介して送信する。このメッセージは、ＡＣＫ（承諾の場合）又はＮＡＣＫ（拒否の場合）、又は、ネットワークパラメータのネゴシエーション（例えば、必ずしもすべてのＰ−ＱｏＳパラメータがシステムにより満たされることができるわけではない、などの場合）を含んでよい。
【０１１７】
段階３ｅにおいて、ＡＦ１１０は、例えば、Ｐ−ＱｏＳサブスクリプションパラメータをネゴシエートする場合、ＡＣＫ／ＮＡＣＫにより応答する。
【０１１８】
さらに、段階３ｆにおいて、ポイント調整機能（ＰＣＦ）３０６（ルールに従って、動的又は予め設定されたＳＭＦ３０３のいずれか）により、ポリシ及び課金（ＰＣＣ）ルールが送信されるので、デバイス１００（例えば、Ｐ−ＱｏＳ機能）は、メッセージをＰＣＦ３０６及び／又はＳＭＦ３０３に送信することにより、ＰＣＣルールを無効にする又は拡張する役割を担ってよい。例えば、デバイス１００のＰ−ＱｏＳからＳＭＦ３０３に、予め設定された拡張ＰＣＣルールメッセージが伝送されてよく、及び／又は、デバイス１００のＰ−ＱｏＳからＰＣＦ３０６に、動的な拡張ＰＣＣルールメッセージが伝送されてよい。さらに、両方のメッセージは、Ｐ−ＱｏＳ有効化パラメータを含んでよい。いくつかの実施形態において、Ｐ−ＱｏＳ機能の位置に応じて、例えば、ＰＣＦ３０６又はＳＭＦ３０３において、又は、新たな機能としてなど、異なるインタフェースが影響を受け得る。
【０１１９】
次に、段階３ｇにおいて、ＰＣＣルールを更新し、要求に応じてモニタリングを有効化した後に、デバイス１００のＰ−ＱｏＳ機能を、例えば、サービス又はセッションベースの方式で作動してよい。
【０１２０】
通信ネットワークは、予測サービス（例えば、無線アクセス技術（ＲＡＴ）又はセルの変化）がこれ以上サポートされていない場合、又は、予測サービス（すなわち、ＱｏＳ機能）の構成における任意の変化が必要とされる場合に、アプリケーションエンティティ１１０を通知してよい。その結果、予測サービスは、アプリケーションエンティティにより、及び／又は、デバイスにより、及び／又は、通信ネットワークなどのいずれかにより、例えば、解除、修正及び更新されてよい。
【０１２１】
代わりに、予測サービスを有効にするためのサブスクリプション要求は、ＵＥ（又は、ＵＥのグループ）のアプリケーションエンティティにより、制御プレーンシグナリング（無線リソース制御（ＲＲＣ））、非アクセス層（ＮＡＳ）を用いてネットワークに、又は、ユーザプレーンシグナリングを用いてアプリケーション機能（例えば、５ＧＳのＡＦ）に送信されてよい。
【０１２２】
図４は、ＱｏＳ機能に対するモニタリングの有効化に関する例示的な手順のフロー図を示す。
【０１２３】
段階４ａにおいて、デバイス１００（例えば、そのＰ−ＱｏＳ機能）は、ネットワークエンティティに、例えば、通信ネットワーク内のＡＮ３０１、及び／又は、アプリケーションエンティティ１１０、及び／又は、ＵＥ３００に、モニタリング要求を伝送する。Ｐ−ＱｏＳサブスクリプション要求（例えば、Ｐ−ＱｏＳサブスクリプションパラメータ、Ｖ２Ｘサービスのタイプ）によれば、異なるモニタリングサブスクリプション又は構成要求は、Ｖ２Ｘサービスのタイプ及び合意されたＰ−ＱｏＳ要件に応じて、例えば、異なるネットワークノード（例えば、ｇＮＢ、ＵＰＦ）により必要とされ、伝送され、収集されてよい。これらの要求は、例えば、サブスクリプション要求を有効にし、ＱｏＳを判定し、ＱｏＳにおける変化を判定し、及び／又は、ＱｏＳ変化の予測を有効にするなどのために、必要とされ得る異なるタイプの情報の収集を可能にし得る。
【０１２４】
異なるタイプの情報は、
・ＮＷＤＡＦを介して、又は、対応するネットワークノードを介して直接取り出され得るノード（ＢＳ、ＵＰＦ）ごと又はリンク（例えば、５ＧにおけるＮ３）ごとの一般的な情報（例えば、平均的なセルの負荷、平均ビットレート、信頼性、負荷、カバレッジ情報）と、
・対応するノード（ＲＡＮ、ＣＮ、ＵＥ）を介して取り出され得るＱｏＳフローごとの特定の情報、例えば、パケット遅延情報と、
・分析又は履歴データ、例えば、ハンドオーバ失敗率、拒否されたＰＤＵセッションなどに対する統計と、
・同じ又は異なる隣接ＵＥを介して取り出され得るＵＥごとの特定の情報（例えば、ＲＲＣ測定報告、無線リンク品質、ＵＥの速度、ＵＥのモビリティ情報）と、
・アプリケーションエンティティ又はサードパーティーのいずれかにより提供されるアプリケーション層情報（例えば、車両の計画された経路／進路／軌跡、アプリケーションの挙動及び／又は構成、道路交通情報、道路施設情報）と、
・イベントをモニタリング及び検出する対応するノードにより報告され得るイベント（例えば、ＵＥの接続可能性、通信障害）と
のうちの１つ又は複数であってよい。
【０１２５】
さらに、キーとなるＱｏＳパラメータ及び予測イベントを識別する手順は、例えば、サービスのタイプ、用いられる通信リンクのタイプ（例えば、セルラ（Ｕｕ）、サイドリンク（ＰＣ５））、及び、Ｐ−ＱｏＳサブスクリプション要求の構成により影響が与えられ得る。
【０１２６】
デバイス（例えば、そのＰ−ＱｏＳ機能）は、（例えば、直接、又は、別のＣＮ機能を介して）適切なモニタリングサブスクリプション要求メッセージを適切なノード（例えば、ＵＥ、ＲＡＮノード、ＣＮノード、Ｖ２Ｘアプリケーションエンティティ）に伝送してよい。
【０１２７】
伝送されるモニタリング要求は、
・モニタリングパラメータ：パラメータ（例えば、レイテンシ、データレート、パケットエラー率、ビットレート、信頼性、ジッタ、信号対干渉雑音電力比（ＳＩＮＲ）、カバレッジ）及び／又は測定タイプ（例えば、平均、実際の値など）と、
・モニタリングレベル：ＱｏＳフロー、リンク、ＵＥ及びネットワークノードと、
・報告の時間粒度：１回の報告、周期的な（値）報告、条件ベースの報告（例えば、閾値を上回る／下回る値を有する）と、
報告のエリア：特定のセル及び地理的な位置と
のうちの１つ又は複数を含んでよい。
【０１２８】
段階４ｂにおいて、予測サービスに対するモニタリング要求を受信したノードは、ＡＣＫ又はＮＡＣＫにより応答する。ＮＡＣＫの場合、ノードは、利用可能であれば、代替的なモニタリング構成を示してよい。
【０１２９】
段階４ｃ、モニタリングフェーズのサブスクリプション又は有効化に成功した後、次に、実際のモニタリング（情報の収集）が開始されてよく、例えば、デバイス１００のＰ−ＱｏＳ機能により、モニタリング開始メッセージが、（例えば、直接又は別のＣＮ機能を介して）送信されてよい。さらに、モニタリングは、（例えば、モニタリング拒否メッセージ）に伴って停止され又は一時停止されてよく、Ｖ２Ｘサービスの存続期間中に、モニタリング構成が修正されてよい。
【０１３０】
さらに、デバイス１００及び／又はそのＰ−ＱｏＳ機能は、オンデマンド分析有効化要求メッセージを伝送してよい。例えば、Ｐ−ＱｏＳ機能１００は、オンデマンド分析有効化要求メッセージをＮＷＤＡＦ３０５に伝送してよい。さらに、ＮＷＤＡＦ３０５は、分析有効化応答（例えば、ＡＣＫ又はＮＡＣＫ）をデバイス１００のＰ−ＱｏＳ機能に提供してよい。
【０１３１】
説明されるように、デバイス１００は、アプリケーションエンティティ（すなわち、図４におけるＡＦ１１０）にモニタリング要求を伝送してよい。さらに、デバイス１００は、さらに、例えば、車両の経路、車両の軌道などであり得るＡＦ１１０からモニタリング応答を取得してよい。
【０１３２】
さらに、デバイス１００は、車両であり得るＵＥ３００にモニタリング要求を伝送してよい。さらに、デバイス１００は、さらに、例えば、車両の経路、車両の軌道などであり得るＵＥ１２０からモニタリング応答を取得してよい。
【０１３３】
さらに、デバイス１００及び／又はそのＰ−ＱｏＳ機能は、モビリティ情報ステータスサブスクリプションを、例えば、ＡＭＦ３０２に伝送してよく、ＡＭＦ３０２は、さらに、モビリティ情報ステータス応答をデバイス１００に伝送してよい。
【０１３４】
図５は、ＱｏＳ機能のローカル予測に関するモニタリングの有効化に関する例示的な手順のフロー図を示す。
【０１３５】
いくつかの実施形態において、Ｐ−ＱｏＳ機能（又は、任意の他のＣＮ機能）は、例えば、ＱｏＳにおける変化、個別のネットワークエンティティ（例えば、基地局（ＢＳ）、ＵＰＦ）又はＵＥにより要求され、及び／又は、割り当てられ得るイベントの「ローカル」予測に基づいてよい。
【０１３６】
例として、ＰＣ５／サイドリンク通信のためのＱｏＳにおける変化の予測の割り当ては、ＲＡＮ側で行う方が早い可能性がある。予測サブスクリプション要求メッセージを受信したノードは、ＡＣＫ又はＮＡＣＫにより応答してよい。さらに、ＮＡＣＫの場合、ノードは、可能であれば、代替的な予測構成を示してよい。
【０１３７】
段階５ａにおいて、デバイス１００及び／又はそのＰ−ＱｏＳ機能は、ローカル予測メッセージをアプリケーションエンティティＡＦ１１０に、及び／又は、ネットワークエンティティに伝送する。
【０１３８】
段階５ｂにおいて、ＡＮ３０１は、予測通知メッセージ（例えば、無線品質の予想される劣化、Ｕｕ及び／又はＰＣ５無線リンクのパスロスの増加）をデバイス１００のＰ−ＱｏＳ機能に伝送する。
【０１３９】
予測サブスクリプション要求メッセージは、受信ノード（又は、ローカルＰ−ＱｏＳ機能）により予測されるべきパラメータのタイプ、（例えば、フロー、ノード、セッションごとなどの）報告のタイプ、予測及び報告の時間粒度、予測及び報告の位置などを含んでよい。
【０１４０】
（成功した）サブスクリプション又は「ローカル」予測の有効化の後、次に、実際の「ローカル」予測結果（情報の収集）が開始されてよく、例えば、Ｐ−ＱｏＳ機能により（直接、又は、別のＣＮ機能を介して）、予測開始メッセージが伝送される。「ローカル」予測は、さらに、停止され又は一時停止されてよく、一方、Ｖ２Ｘサービスの存続期間中に「ローカル」予測構成が修正される。
【０１４１】
「ローカル」予測結果（すなわち、予測通知メッセージ）は、
・サービス又は通信リンクに対する「ｅ２ｅ」予測結果を生成するためのセントラルＰ−ＱｏＳエンティティと、
・（既存の３ＧＰＰの主旨に近い）５Ｇネットワーク内のＳＭＦと、
・迅速な通知が必要とされる場合、（例えば、特定のサービスに対するＵＬレイテンシ値をモニタリングするために、又は、予測するために）Ｖ２Ｘアプリケーションエンティティに直接伝送することと
のうちの１つ又は複数に送信されてよい。
【０１４２】
ＱｏＳにおける判定した変化は、アプリケーションエンティティに、及び／又は、ネットワークエンティティのうちの１つに伝送されてよい。例えば、デバイス１００は、サイドリンク（ＰＣ５）通信及びセルラ通信（Ｕｕ）のうちの少なくとも１つを含む通信サービスのタイプに基づいて、アプリケーションエンティティ１１０に、及び／又は、ネットワークエンティティのうちの１つに通知を提供してよい。ＱｏＳ機能（例えば、Ｐ−ＱｏＳ機能）の結果は、それが集中型Ｐ−ＱｏＳ機能に基づいているか、異なるネットワークエンティティ間で分散されているかにかかわらず、Ｖ２Ｘアプリケーションエンティティ（例えば、ＵＥ、アプリケーションサーバなど）に、及び／又は、ネットワークエンティティのうちの１つ又は複数に伝送されてよい。
【０１４３】
さらに、通知のタイプ及び記述は、初期のＰ−ＱｏＳサブスクリプションに依存し得る。例えば、通知は、
・ＵＥ１がＸ秒でカバレッジの外にあること、
・ＵＥ１が（ｘ、ｙ、ｚ）の座標を用いた位置におけるカバレッジの外にあること、
・ＵＥ１のＱｏＳ（例えば、レイテンシ）がＸ秒でダウングレードされること、
・ＵＥ１のＱｏＳ（例えば、レイテンシ）が（ｘ、ｙ、ｚ）の座標を用いた位置及びＸ秒でダウングレードされること、
・グループ通信（グループ−キャスト）のＱｏＳがセル番号ｘにおいてダウングレードされること、
・ＵＥ１のＱｏＳ（例えば、レイテンシ）が（ｘ、ｙ、ｚ）の座標を用いた位置において、Ｘ％の確率（信頼区間）でダウングレードされること、
・特定の確率及び／又は信頼区間を用いたＱｏＳ（例えば、ビットレート）における潜在的な変化
であってよい。
【０１４４】
さらに、ＱｏＳ機能（例えば、予測機能）は、Ｐ−ＱｏＳ結果に基づいて、ＱｏＳにおける変化の通知を提供してよく、
・（ＰＤＵセッションＰ−ＱｏＳごとの）ＰＤＵセッションＩＤ、ＰＤＵセッションタイプ、フローＩＤと、
・（サービス／ＱｏＳフローごとの）ビークルツーエブリシング（Ｖ２Ｘ）通信サービスＩＤと、
・サイドリンク（ＰＣ５）及び／又はセルラ通信（Ｕｕ）を含むリンクのタイプと、
・単一又はグループの影響を受けるビークルツーエブリシングユーザ機器（Ｖ２Ｘ−ＵＥ）ＩＤと、
・ＱｏＳパラメータ（例えば、パケット遅延バジェット、ビットレート）及び／又は変化する５ＱＩ  ＩＤ、及び／又は、トリガされるイベント（例えば、カバレッジ外）と、
・サポートされ／提供され得るＱｏＳの新たなレベルに対する提案と、
・ＱｏＳにおける変化のタイミング情報、又は、適用され得るイベントのトリガと
・ＱｏＳにおける変化の位置情報、及び／又は、ＱｏＳの変化に関するセル情報、及び／又は、適用され得る識別されたイベントと、
・ユーザ機器（ＵＥ）ごとのＱｏＳのレベル、例えば、＜現在のＱｏＳ、新たな１  ＱｏＳ、新たな２  ＱｏＳなど＞と、
・ＵＥのタイミング情報、例えば、＜開始１、終了１、開始２、終了２＞と、
・ＱｏＳ及び／又はカバレッジにおける変化に関する確率情報と
のうちの１つ又は複数をさらに含んでよい。
【０１４５】
図６ａ、図６ｂ、図７ａ及び図７ｂは、制御プレーン及び／又はユーザプレーンメッセージのいずれかを用いて、デバイス１００及び／又はそのＰ−ＱｏＳ機能１００からＶ２Ｘアプリケーションエンティティに通知を提供するための実装についての異なる形式を示す。
【０１４６】
通知は、例えば、サービスＩＤ、Ｖ２Ｘ−ＵＥ  ＩＤ、ＱｏＳパラメータ（例えば、ＱｏＳの古い値、ＱｏＳの新しい値、イベント、ＱｏＳにおける変化が適用されるタイミング情報）、ＱｏＳにおける変化が適用される地理的エリア、ＱｏＳ変化の確率などであってよい。通知応答は、例えば、ＡＣＫ、ＮＡＣＫ、パラメータのネゴシエーションなどであってよい。
【０１４７】
図６ａ及び図６ｂは、５ＧネットワークにおけるＮＥＦ６０１を介したシグナリングオプションについての２つの例を概略的に示す。通知された宛先ノードは、ＡＦ１１０にあるＶ２Ｘアプリケーションエンティティであり、ＰＬＭＮ独自のアプリケーション又はサードパーティーアプリケーションであり得る。
【０１４８】
図７ａ及び図７ｂは、通知された宛先ノードがＵＥ３００にあるＶ２Ｘアプリケーションエンティティであるシグナリングオプションについての２つの例を概略的に示す。この場合、通知は、ＡＦ１１０又はＲＡＮインタフェース（例えば、ＮＡＳ、ＲＲＣ）のいずれかを介して送信されてよい。図７ｂのＭＳＣの例では、ＱｏＳフローに関するＱｏＳターゲットが、（「３ＧＰＰ−２３５０３」に従って）を満たすことができず、さらに、早期通知情報などと共に更新し得る場合、ＳＭＦ３０３はＰＣＦ３０６を通知することができる。
【０１４９】
上記の例のすべてについて、Ｐ−ＱｏＳ機能は、ＳＭＦ３０３エンティティに通知してよく、後者は、ＱｏＳ又はカバレッジレベルの任意の変化に関する通知をＰＣＦ３０６に転送してよい。そして、ＰＣＦ３０６は、ＮＥＦ６０１、ＡＭＦ３０２、及び／又は、任意の他の機能又はネットワークエンティティに通知メッセージを伝送する役割を担う。
【０１５０】
（例えば、あらゆる潜在的なシグナリングオプション）に関して、Ｖ２Ｘアプリケーションエンティティを受信することは、通知応答メッセージで応答してよく、通知を確認してよく、及び／又は、例えば、（すなわち、新たに提案されるＱｏＳレベルが提供された場合）新たに提案されるＱｏＳレベルを承諾又は拒否してよい。拒否の場合、ネットワーク側とＶ２Ｘアプリケーションエンティティとの間でのＱｏＳ値のネゴシエーションが開始されてよく、その後、より好ましい代替的なＱｏＳレベルを提案してよい。
【０１５１】
代わりに、予想されるＱｏＳ及び／又はカバレッジ変化に関するＰ−ＱｏＳ通知の結果は、ネットワークエンティティ（例えば、５ＧシステムのＢＳ、ＵＰＦ、ＡＭＦ、ＳＭＦ、ＰＣＦ、Ｖ２Ｘ−ＣＦなど）に伝送されてよい。さらに、例えば、通知のタイプに基づいて、及び、初期の合意されたＱｏＳレベルを維持する及び／又はネットワーク性能を最適化するためなどで、適切な再構成動作がトリガされ、ネットワークにより判定されてよい。
【０１５２】
図８は、管理プレーンによるＰ−ＱｏＳ機能の構成に関する手順、及び、特に、スライスベースのアーキテクチャ（例えば、Ｖ２Ｘスライス）のシナリオを概略的に示す。すでに述べたように、Ｐ−ＱｏＳ機能は、例えば、要求に応じて必要とされる特徴であってよい、又は、特定のサービスに対してデフォルトで有効にされてよい。
【０１５３】
ネットワークスライシングは、例えば、ネットワークオペレータとの合意の後に、垂直市場がエンドツーエンド論理サブネットワーク上で運用することを可能にするためにキーとなる５Ｇ要件である。５Ｇシステムにとって、自動車部門はキーとなる垂直市場であり、５Ｇ−Ｖ２Ｘは、キーとなるスライシングシナリオとして想定されている。
【０１５４】
オペレータは、サードパーティー又は顧客（例えば、ＯＥＭ）のカスタマイズされたサービス要件を満たすために、必要とされるネットワークの特徴を提供してよい。ネットワークの特徴は、スライスＫＰＩ及び関連する機能及びリソースを満たすために必要とされ得る。Ｐ−ＱｏＳ機能は、ある特定の機能であってよく、デフォルトで、又は、要求に応じてＶ２Ｘスライスに提供されてよい。
【０１５５】
最初に、サードパーティー８０１（又は、顧客）は、管理の観点から、サービス要件をネットワーク要件に変換するエンティティであるＣＳＭＦ８０２に、いくつかのサービス要件を伝送する。次に、ネットワークスライス管理機能（ＮＳＭＦ）８００は、ネットワークスライスインスタンスを作成及び／又は修正し、さらに、それらをポリシ（例えば、無線リソース管理（ＲＲＭ）ポリシ、ネットワーク機能（ＮＦ）配置、スケールイン／アウト、スライスカバレッジなど）にマッピングする。通信サービス管理機能（ＣＳＭＦ）８０２、ＮＳＭＦ８００、及び、ネットワークスライスサブネット管理システム（ＮＳＳＭＦ）８０３は、参照番号「３ＧＰＰ−２８５３０」の技術仕様書において規定されているような、スライス管理システムを備えるスライス管理機能である。
【０１５６】
プロセスは、要約すると以下のようになり得る。
・段階８ａにおいて、Ｐ−ＱｏＳの特徴を有するアプリケーション要件に基づいて、ネットワークスライスインスタンス（ＮＳＩ）が作成される。
・段階８ｂにおいて、ＮＳＭＦ８００は、最初に、例えば、要求に応じて、ＮＷＤＡＦ３０５から必要とされる分析を（有効化ｍｓｇ０として）有効にする。
・段階８ｃにおいて、ＮＷＤＡＦ３０５は、関連するネットワーク機能（ＱｏＳ、リソースステータス及びイベントをモニタリングすることに関連するコア及び／又はＲＡＮ制御機能）からの分析を収集する。
・段階８ｄにおいて、ＮＳＭＦ８００は、要求に応じた分析を受信し、これに応じて、５ＧＳの異なるセグメント（例えば、ＲＡＮ、ＴＮ、ＣＮ）を構成する。
・段階８ｅにおいて、ＮＳＭＦ８００は、Ｐ−ＱｏＳを有効にするために、セグメントごとの構成をＮＳＳＭＦ８０３に送信し、これは、Ｐ−ＱｏＳ有効化及び管理のためのパラメータを含む。
・段階８ｆにおいて、ＮＳＳＭＦ８０３は、この情報を管理されるネットワークエレメント（ＮＥ）８０４、例えば、制御パネル（ＣＰ）機能に送信する。ＮＥ８０４は、（例えば、制御プレーンの観点から）異なるドメイン（例えば、ＣＮ、ＲＡＮ）に対してポリシを提供する役割を担うＰＣＦであり得る。
・段階８ｇ（図示されていない）において、ＮＥ８０４又はＰＣＦは、基本的な５ＧＳに対する構成又はポリシを適用する。
【０１５７】
図９は、Ｐ−ＱｏＳ機能に関するＰＣ５パラメータの構成のための手順を概略的に示す。
【０１５８】
いくつかの実施形態において、例えば、Ｖ２Ｖ通信の場合、Ｖ２Ｘ制御機能（Ｖ２ＸＣＦ）９００が提供される。Ｖ２ＸＣＦ９００は、ＵＥ３００に対するサイドリンク（ＰＣ５）パラメータのプロビジョンに関するネットワーク機能である。さらに、ＰＣ５に関するＱｏＳ機能（例えば、ＱｏＳモデル）は、サイドリンクオペレーションのためのＵＥ３００に対するパケット優先度ごとの近接サービス（ＰｒｏＳＥ）（ＰＰＰＰ）及び信頼性（ＰＰＰＲ）プロビジョニングを含む。
【０１５９】
以下では、ＱｏＳ機能（例えば、Ｐ−ＱｏＳ機能）に関するＰＣ５パラメータの構成についての実施形態が説明される。さらに、Ｕｕ及びＰＣ５のインターワーキングがあってもよく、統一されたＱｏＳモデルが提供され得る。この目的で、Ｐ−ＱｏＳ機能は、ＰＣ５セッションに関して予測又は予想される変化（ＱｏＳ特性／ＰＰＰＰ／５ＱＩ、及び、ＱｏＳ属性へのマッピング）を含むＰ−ＱｏＳパラメータをプロビジョニングする。
【０１６０】
デバイス１００（例えば、そのＰ−ＱｏＳ機能）から、Ｖ２ＸＣＦ９００及び／又はアプリケーションサーバ９０１及び／又は（Ｖ２ＸＣＦ９００を介して）ＵＥ３００に、メッセージが伝送される。メッセージは、Ｐ−ＱｏＳメッセージに関する進化型プロビジョニングポリシを表し、参照番号「３ＧＰＰ−２４３８６」及び「３ＧＰＰ−２３７８６」の技術仕様書において規定されているような、ＰＣ５プロビジョニングパラメータを含む。
【０１６１】
伝送されるメッセージは、
・サイドリンクＰＣ５パラメータと、
・パケット遅延バジェットＰＤＢへのパケット優先度サービス品質ごとの近接サービスＰｒｏＳＥ  ＰＰＰＰ／ＱｏＳクラスのマッピング及び現在のＱｏＳ及びＱｏＳにおける予測される変化に対するパケットエラー率ＰＥＲと、
・現在のＱｏＳ及びＱｏＳにおける判定した変化に関する無線パラメータと、
・ＵＥが、無線パラメータを変化すること、又は、サイドリンクＰＣ５を介したビークルツーエブリシングＶ２Ｘ通信サービスのためのパケット優先度ごとの近接サービスＰｒｏＳＥ  ＰＰＰＰをマッピングすることを示すタイマー情報Ｔｘｘｘｘと
のうちの１つ又は複数を含む。
【０１６２】
図１０は、マルチＭＮＯ環境においてＰ−ＱｏＳ機能を提供するための手順を概略的に示す。
【０１６３】
いくつかの実施形態において、ＵＥ（例えば、車両）は、Ｐ−ＱｏＳ機能を有効にしてよい。さらに、Ｖ２ＸサービスのＱｏＳ機能（例えば、Ｐ−ＱｏＳ機能）に対するそのサブスクリプションが有効にされてよく、及び／又は、ＱｏＳ機能を用いてＭＮＯに接続されてよい。ＵＥは、さらに、第２ＭＮＯ（例えば、国のＭＮＯ、国境を越えたＭＮＯ）へと移動してよい。そのような場合、例えば、（Ｐ−ＱｏＳ機能のサービス継続性、信頼性及び利用可能性のための）実際のローミング前に、同一のＰ−ＱｏＳ能力及び／又は構成がサポートされているか否かを第２ＭＮＯ（すなわち、ターゲットＭＮＯ）に要求する必要があり得る。すなわち、サブスクリプションの延長が要求され得る。
【０１６４】
ＭＮＯ間のインタラクションは、例えば、
・両方のＭＮＯが有するＮＥＦインタフェース、又は、この目的のために専用のＡＦのいずれかを介して、又は、
・ＰＬＭＮ間−制御プレーンシグナリングを介して、
行われてよい。
【０１６５】
図１０は、ローミングサービスを用いて、マルチＭＮＯ環境におけるＮＥＦ間インタラクションに基づいて、Ｐ−ＱｏＳサブスクリプション要求を伝送するための手順を概略的に示す。
【０１６６】
説明されるように、第１通信ネットワークにおけるアプリケーションエンティティのサブスクリプション要求は、第２通信ネットワークにおけるネットワークエンティティに伝送されてよい。サブスクリプション要求は、第１通信ネットワークから第２通信ネットワークにアプリケーションエンティティのローミングの際に、アプリケーションエンティティの通信サービスに関するＱｏＳ機能が第２通信ネットワークにおいてサポートされているか否かを判定するためのＱｏＳサービス要求メッセージを含んでよい。
【０１６７】
図１０において、ＰＬＭＮ／ＭＮＯ１は、ＵＥが第２のＰＬＭＮ／ＭＮＯ２に移動した場合に、１つ又は複数のＵＥのＶ２Ｘサービスに関するＰ−ＱｏＳサブスクリプションパラメータがサポートされ得るか否かをＰ−ＱｏＳサービス要求メッセージを介して尋ねる。
【０１６８】
ＰＬＭＮ１は、ＰＣＦポイント座標機能（１０００）（又は、Ｐ−ＱｏＳ１）、及び、ネットワークエクスポージャ機能（ＮＥＦ）１００１（ＮＥＦ  ＰＬＭＮ１）を含む。さらに、ＰＬＭＮ２は、ＰＣＦ１００２（又は、Ｐ−ＱｏＳ２）及びＮＥＦ１００３（ＮＥＦ  ＰＬＭＮ２）を含む。
【０１６９】
ＰＬＭＮ／ＭＮＯ２は、ＡＣＫ又はＮＡＣＫを用いて応答する。ＮＡＣＫ（すなわち、Ｐ−ＱｏＳサービス応答メッセージ）の場合、オプションの代替的にサポートされる構成を提案してよい。説明されるように、ＭＮＯ間のインタラクションは、ＮＥＦ又はＡＦを介して行われてよい。
【０１７０】
図１１ａ及び図１１ｂは、ローミングサービスを用いて、マルチＭＮＯ環境におけるＰＬＭＮ間制御プレーンに基づいて、Ｐ−ＱｏＳサブスクリプション要求を伝送するための手順を概略的に示す。
【０１７１】
図１１ａ及び図１１ｂにおいて、すなわち、第２ＭＮＯによりサポートされ得るＰ−ＱｏＳ能力及び／又は構成の要求に関するＭＮＯ間のインタラクションは、ＰＬＭＮ間インタフェースを介して実行される。
【０１７２】
例として、図１１ａでは、５ＧシステムアーキテクチャのＮ２４及びＮ３２の基準点は、参照番号「３ＧＰＰ−２３５０１」の技術仕様書にしたがって、例えば、別のＭＮＯ／ＰＬＭＮへのＰ−ＱｏＳサービス要求、応答メッセージ、及び、Ｐ−ＱｏＳ能力のサブスクリプションのために用いられてよい。
【０１７３】
さらに、図１１ｂでは、Ｎ２７（ＮＲＦ間）は、ＰＬＭＮ間のＰ−ＱｏＳサービスディスカバリ機能（例えば、クエリ、応答）のために用いられてよい。例えば、ＰＬＭＮ／ＭＮＯ２が任意のＰ−ＱｏＳサービスを提供するかどうかをＰＬＭＮ／ＭＮＯ１がチェックする必要がある場合がある。
【０１７４】
いくつかの実施形態において、例えば、２つ又はそれより多くのＵＥが異なるＭＮＯに所属させられ、それらがセルラ（Ｕｕ）及び／又はサイドリンク（ＰＣ５）インタフェース（すなわち、同一の又は異なる周波数帯）を介して通信する場合に、ＱｏＳ機能（例えば、ＱｏＳの予測）が提供されてよい。
【０１７５】
例として、異なるＭＮＯに所属させられている２つ又はそれより多くの車両間で、例えば、センサ共有、協調操作など、車車間の基地局経由（Ｖ２Ｎ２Ｖ）通信が実行されてよい。さらに、ＱｏＳにおける変化の予測は、異なるＭＮＯに所属させられている車両に関するＶ２Ｘサービスのセッションのために、（例えば、通知により）予測結果の交換を要求してよい。
【０１７６】
例えば、ＰＬＭＮ１は、その個々のＰ−ＱｏＳ計算に基づいて、ＱｏＳの予想される変化を検出してよい。さらに、ＰＬＭＮ１は、独自のネットワークに所属させられている車両の両方に通知してよく、ＰＬＭＮ２に所属させられている他の関連する車両に通知してもよい。
【０１７７】
ＱｏＳにおける変化の通知を表すメッセージは、提案され、サポートされるＱｏＳレベルを含んでよい。ＱｏＳ変化の通知についての詳細な説明は、上記（例えば、図６ａ、図６ｂ、図７ａ及び図７ｂにおいて）説明されている。同様に、（同一又は他のＭＮＯの）他の車両は、例えば、対応するＭＮＯをトリガすることにより、サポートされ得る新たなＱｏＳを承諾又は拒否、及び／又は、ネゴシエートしてよい。
【０１７８】
図１２ａ、図１２ｂ及び図１２ｃは、アプリケーションエンティティが異なるＭＮＯに所属させられているマルチＭＮＯ環境において、ＱｏＳ機能を提供するためのメッセージシーケンスチャートを概略的に示す。
【０１７９】
図１２ａ、図１２ｂ及び図１２ｃでは、異なるＭＮＯ間のインタラクション、結果として、異なるＭＮＯへと所属させられる（例えば、ＵＥにおける）Ｖ２Ｘアプリケーションエンティティへの通知メッセージの伝送に関して、ＭＳＣの３つの代替的な実装形式が示される。
【０１８０】
図１２ａは、ＡＦのＮＥＦインタフェースに基づいた異なるＭＮＯ間のインタラクションを示す。ＰＣＦ１２００（又は、Ｐ−ＱｏＳ１）、及び、ＰＬＭＮ２とのＮＥＦ１２０１（ＮＥＦ  ＰＬＭＮ１）コミュニティを含むＰＬＭＮ１は、ＰＣＦ１２００２（又は、Ｐ−ＱｏＳ２）、及び、ＮＥＦ１２０３（ＮＥＦ  ＰＬＭＮ２）を含む。ＮＥＦインタフェースに基づいて、ＭＮＯ間の通信が実行される。
【０１８１】
図１２ｂは、制御プレーンインタフェースに基づいた異なるＭＮＯ間のインタラクションを示し、Ｎ２４及びＮ３２（すなわち、図１１ａにおいて説明されたような、５Ｇシステムアーキテクチャの基準点「３ＧＰＰ−２３５０１」）であってよい。制御プレーンインタフェースは、他のＭＮＯ／ＰＬＭＮへの通知及び通知応答メッセージのために用いられてよい。例えば、第２ＭＮＯは、第１ＭＮＯへと所属させられる（例えば、ＵＥの）適切なＶ２Ｘアプリケーションエンティティに通知を転送する役割を担ってよい。
【０１８２】
図１２ｂにおいて、ＰＬＭＮ１は、Ｐ−ＱｏＳ１  １２０４と、Ｐ−ＱｏＳ２１２０６及びＰＣＦ１２０７を含むＰＬＭＮ２とのＰＣＦ１２０５コミュニティとを含む。制御プレーンインタフェースに基づいて、ＭＮＯ間の通信が実行される。
【０１８３】
図１２ｃは、サイドリンクインタフェース（ＰＣ５）に基づいた異なるＭＮＯ間のインタラクションを示す。車両は、それらのＭＮＯ（すなわち、それらが所属させられるＭＮＯ）から受信した通知メッセージを交換する。同様に、対応する通知応答は、サイドリンク制御プレーン（例えば、ＲＲＣ）及び／又はユーザプレーンメッセージのいずれかを用いて、サイドリンクインタフェースを介して伝送される。
【０１８４】
いくつかの実施形態では、２つ又はそれより多くのＵＥ間のセルラＵｕ（Ｖ２Ｎ２Ｖ）又はサイドリンク／ＰＣ５通信のいずれかのために、図１２ａ、図１２ｂ及び図１２ｃについての説明された３つの実装形式が用いられてよい。
【０１８５】
図１３は、複数のネットワークエンティティ１１２、１１３、１１４を備える通信ネットワーク１内のアプリケーションエンティティ１１０の通信サービス１１１に関するサービス品質（ＱｏＳ）機能を提供するための本発明の実施形態に係る方法１３００を示す。上述したように、方法１３００は、デバイス１００により実行されてよい。
【０１８６】
方法１３００は、少なくとも１つのアプリケーションエンティティ、少なくとも１つのネットワークエンティティ、及び、少なくとも１つのユーザ機器のうちの１つ又は複数にモニタリング要求を伝送する段階１３０１を備える。
【０１８７】
方法１３００は、少なくとも１つのアプリケーションエンティティ、少なくとも１つのネットワークエンティティ及び少なくとも１つのユーザ機器のうちの１つ又は複数からモニタリング応答を取得する段階１３０２をさらに備える。
【０１８８】
方法１３００は、取得したモニタリング応答に基づいて、少なくとも１つのアプリケーションエンティティの少なくとも１つの通信サービスのサービス品質（ＱｏＳ）における変化を判定する段階１３０３をさらに備える。
【０１８９】
方法１３００は、通信ネットワーク内の少なくとも１つのアプリケーションエンティティに、及び／又は、ネットワークエンティティのうちの少なくとも１つに、ＱｏＳにおける判定した変化を伝送する段階１３０４をさらに備える。
【０１９０】
本発明は、例及び実装例としてさまざまな実施形態と共に説明されてきた。しかしながら、他の変形例が当業者により理解及び達成され、図面、本開示及び独立請求項の研究から、特許請求の範囲に記載の発明を実施することができる。特許請求の範囲及び説明において、単語「備える（ｃｏｍｐｒｉｓｉｎｇ）」は、他の要素又は段階を除外するものではなく、不定冠詞「ａ」又は「ａｎ」は、複数を除外するものではない。単一の要素又は他のユニットが、特許請求の範囲に記載されているいくつかのエンティティ又は事項の機能を実現し得る。特定の手段が相互に異なる独立請求項に記載されているからといって、これらの手段の組み合わせが有利な実装において用いられることができることを示しているわけではない。
［項目１］
複数のネットワークエンティティ（１１２、１１３、１１４）を備える通信ネットワーク（１）内の少なくとも１つのアプリケーションエンティティ（１１０）の少なくとも１つの通信サービス（１１１）に関するサービス品質ＱｏＳ機能を提供するためのデバイス（１００）であって、
上記少なくとも１つのアプリケーションエンティティ（１１０）、少なくとも１つのネットワークエンティティ（１１２）、及び、少なくとも１つのユーザ機器（１２０）のうちの１つ又は複数に、モニタリング要求（１０１）を伝送し、
上記少なくとも１つのアプリケーションエンティティ（１１０）、上記少なくとも１つのネットワークエンティティ（１１２）、及び、上記少なくとも１つのユーザ機器（１２０）のうちの１つ又は複数からモニタリング応答（１０２）を取得し、
上記取得したモニタリング応答（１０２）に基づいて、上記少なくとも１つのアプリケーションエンティティ（１１０）の上記少なくとも１つの通信サービス（１１１）のサービス品質（１０３）ＱｏＳにおける変化を判定し、
上記通信ネットワーク（１）内の上記少なくとも１つのアプリケーションエンティティ（１１０）に、及び／又は、上記ネットワークエンティティ（１１２、１１３、１１４）のうちの少なくとも１つに、上記ＱｏＳ（１０３）における上記判定した変化に基づいた情報を伝送する
ように構成される、デバイス（１００）。
［項目２］
上記少なくとも１つのアプリケーションエンティティ（１１０）の上記少なくとも１つの通信サービス（１１１）の上記ＱｏＳ（１０３）における上記変化を判定するために、上記少なくとも１つのアプリケーションエンティティ（１１０）のサブスクリプション要求に応じて、上記ＱｏＳ機能に対する上記少なくとも１つのアプリケーションエンティティ（１１０）のサブスクリプションを有効にする
ようにさらに構成される、項目１に記載のデバイス（１００）。
［項目３］
上記ＱｏＳにおける上記判定した変化を示す追加のＱｏＳを提供することにより、上記少なくとも１つのアプリケーションエンティティ（１１０）に、及び／又は、上記ネットワークエンティティ（１１２、１１３、１１４）のうちの上記少なくとも１つに、上記ＱｏＳ（１０３）における上記判定した変化を通知する
ようにさらに構成される、項目１又は２に記載のデバイス（１００）。
［項目４］
上記ＱｏＳ機能に対する上記少なくとも１つのアプリケーションエンティティ（１１０）の上記サブスクリプションは、上記少なくとも１つのアプリケーションエンティティ（１１０）から上記通信ネットワーク（１）に提供されるサブスクリプションパラメータに基づいて有効にされる、項目２に記載のデバイス（１００）。
［項目５］
上記サブスクリプションパラメータは、
プロトコルデータユニットＰＤＵセッション識別番号ＩＤと、
ビークルツーエブリシングＶ２Ｘ通信サービスＩＤと、
単一又はグループの影響を受けるビークルツーエブリシングユーザ機器Ｖ２Ｘ−ＵＥ  ＩＤと、
上記ＱｏＳ機能に対する上記サブスクリプション要求のタイミングウィンドウ及び／又は頻度と、
上記少なくとも１つの通信サービスの上記ＱｏＳにおける上記変化の上記判定のための計画対象時間と、
上記少なくとも１つの通信サービスの上記ＱｏＳにおける上記変化の上記判定のための予め定められた地理的エリアと、
上記少なくとも１つの通信サービスの上記ＱｏＳにおける上記変化の閾値と、
上記通信サービスの継続時間と、
上記ＱｏＳ機能に対するセグメントベースのサブスクリプション又はエンドツーエンドＥ２Ｅのサブスクリプションと、
上記少なくとも１つのアプリケーションエンティティに対して必要とされる性能及びモニタリングエクスポージャと、
上記通信サービスのために必要とされるＱｏＳと、
プライマリＱｏＳが利用可能ではないと判定された場合に用いられることができる少なくとも１つ又は複数の代替的なＱｏＳレベルと、
上記サイドリンクＰＣ５及び／又は上記セルラ通信Ｕｕを含む上記リンクの上記タイプと
のうちの１つ又は複数を含む、項目４に記載のデバイス（１００）。
［項目６］
上記伝送されるモニタリング要求は
モニタリングパラメータと、
モニタリングレベルと、
上記モニタリング応答の継続時間及び粒度と、
上記モニタリング要求の位置情報と
のうちの１つ又は複数を含む、
項目１から５のいずれか一項に記載のデバイス（１００）。
［項目７］
上記少なくとも１つの通信サービス（１１１）の上記ＱｏＳ（１０３）における上記変化は、
上記少なくとも１つのアプリケーションエンティティ（１１０）のモビリティ情報と、
上記少なくとも１つのアプリケーションエンティティ（１１０）の挙動と、
マップ情報と、
上記ＵＥ（１２０、３００）及び／又は上記通信ネットワーク（１）の上記位置の組み合わせを表す履歴情報及び／又は無線情報と、
上記通信ネットワークの特性と
のうちの１つ又は複数に基づいて判定される、
項目１から６のいずれか一項に記載のデバイス（１００）。
［項目８］
上記ＱｏＳ（１０３）における上記判定した変化を通知することは、サイドリンクＰＣ５通信及びセルラ通信Ｕｕのうちの少なくとも１つを含む上記通信サービスのタイプに基づいて、上記少なくとも１つのアプリケーションエンティティ（１１０）に、及び／又は、上記ネットワークエンティティ（１１２、１１３、１１４）のうちの上記少なくとも１つに通知を提供することを有する、項目１から７のいずれか一項に記載のデバイス（１００）。
［項目９］
上記ＱｏＳ（１０３）における上記判定した変化を通知することは、上記少なくとも１つのアプリケーションエンティティ（１１０）に、及び／又は、上記ネットワークエンティティ（１１２、１１３、１１４）のうちの上記少なくとも１つに、
上記プロトコルデータユニットＰＤＵセッション識別番号ＩＤと、
上記ビークルツーエブリシングＶ２Ｘ通信サービスＩＤと、
上記サイドリンクＰＣ５及び／又は上記セルラ通信Ｕｕを含む上記リンクの上記タイプと、
上記単一又はグループの影響を受けるビークルツーエブリシングユーザ機器Ｖ２Ｘ−ＵＥ  ＩＤと、
ＱｏＳパラメータと、
上記ＱｏＳの新たなレベルに対する提案と、
上記ＱｏＳにおける上記変化のタイミング情報と、
上記ＱｏＳにおける上記変化の位置情報と、
ユーザ機器ＵＥ（１２０、３００）ごとの上記ＱｏＳのレベルと、
上記ＵＥ（１２０、３００）のタイミング情報と、
上記ＱｏＳにおける上記変化に関する確率情報と
のうちの１つ又は複数を含む通知を提供することを有する、
項目１から８のいずれか一項に記載のデバイス（１００）。
［項目１０］
上記少なくとも１つの通信サービス（１１１）は、ビークルツーエブリシングＶ２Ｘ通信サービスを含む、
項目１から９のいずれか一項に記載のデバイス（１００）。
［項目１１］
上記アプリケーションエンティティ（１１０）は、Ｖ２Ｘアプリケーションエンティティに基づいている、
項目１から１０のいずれか一項に記載のデバイス（１００）。
［項目１２］
上記Ｖ２Ｘアプリケーションエンティティは、
上記Ｖ２Ｘ通信サービスのためのアプリケーションサーバ（９０１）と、
ＵＥ（１２０、３００）を表すＶ２Ｘアプリケーションクライアントと、
公衆陸上移動体ネットワークＰＬＭＮ独自のアプリケーション機能を表すアプリケーション機能ＡＦと、
上記アプリケーションサーバと上記通信ネットワークとの間に位置付けられるミドルウェアアプリケーションエンティティと
のうちの１つ又は複数を含む、
項目１１に記載のデバイス（１００）。
［項目１３］
上記Ｖ２Ｘ通信サービスのための上記アプリケーションサーバ（９０１）は、
Ｖ２ＸアプリケーションサーバＶ２Ｘ  ＡＳと、
グループ通信システムアプリケーションサーバＧＣＳ−ＡＳと、
コンテンツプロバイダと
のうちの１つ又は複数を含む、
項目１２に記載のデバイス（１００）。
［項目１４］
スライスベースのアーキテクチャに基づいて、上記少なくとも１つの通信サービス（１１１）の上記ＱｏＳ（１０３）における上記変化を判定する
ようにさらに構成される、項目１から１３のいずれか一項に記載のデバイス（１００）。
［項目１５］
上記通信サービス（１１１）は、ダイレクト車車間Ｖ２Ｖ通信サービスに基づいており、上記アプリケーションエンティティ（１１０）は、ＵＥ（１２０、３００）に基づいている、
項目１から１４のいずれか一項に記載のデバイス（１００）。
［項目１６］
サイドリンクＰＣ５パラメータを上記ＵＥ（１２０、３００）に提供するために、ビークルツーエブリシング制御機能Ｖ２ＸＣＦ（９００）を提供するようにさらに構成される、項目１５に記載のデバイス（１００）。
［項目１７］
上記ビークルツーエブリシング制御機能Ｖ２ＸＣＦ（９００）を介して、上記ＱｏＳ機能のための進化型プロビジョニングポリシを表す通知メッセージを上記ＵＥ（１２０、３００）に提供する
ようにさらに構成される、項目１６に記載のデバイス（１００）。
［項目１８］
上記ＵＥ（１２０、３００）に提供される上記通知メッセージは、
−上記サイドリンクＰＣ５パラメータと、
−パケット遅延バジェットＰＤＢへのパケット優先度サービス品質ＰＰＰＰ／ＱｏＳクラスごとの近接サービスＰｒｏＳＥのマッピングと、現在のＱｏＳ及び上記ＱｏＳにおける上記予測される変化に対するパケットエラー率ＰＥＲと
−上記現在のＱｏＳ及び上記ＱｏＳにおける上記判定した変化に関する無線パラメータと、
−上記ＵＥが、上記無線パラメータを変化すること、又は、上記サイドリンクＰＣ５を介した上記ビークルツーエブリシングＶ２Ｘ通信サービスに関するパケット優先度ごとの上記近接サービスＰｒｏＳＥ  ＰＰＰＰをマッピングすることを示すタイマー情報Ｔｘｘｘｘと
のうちの１つ又は複数を含む、
項目１７に記載のデバイス（１００）。
［項目１９］
上記通信システムは、５Ｇ通信システムに基づいている、
項目１から１８のいずれか一項に記載のデバイス（１００）。
［項目２０］
特定のＱｏＳレベルを維持するために、上記ＱｏＳ（１０３）における上記判定した変化に基づいて、ネットワーク再構成をトリガする
ようにさらに構成される、項目１から１９のいずれか一項に記載のデバイス（１００）。
［項目２１］
上記少なくとも１つのアプリケーションエンティティ（１１０）に、及び／又は、上記ネットワークエンティティ（１１２、１１３、１１４）のうちの上記少なくとも１つに、上記ＱｏＳにおける上記判定した変化の精度を示すアラート通知を提供する
ようにさらに構成される、項目１から２０のいずれか一項に記載のデバイス（１００）。
［項目２２］
上記ＱｏＳ機能に対する上記少なくとも１つのアプリケーションエンティティ（１１０）の上記サブスクリプションを無効にする及び／又は修正する
ようにさらに構成される、項目１から２１のいずれか一項に記載のデバイス（１００）。
［項目２３］
複数のネットワークエンティティ（１１２、１１３、１１４）を備える通信ネットワーク（１）内の少なくとも１つのアプリケーションエンティティ（１１０）の少なくとも１つの通信サービス（１１１）に関するサービス品質ＱｏＳ機能を提供するための方法（１３００）であって、
上記少なくとも１つのアプリケーションエンティティ（１１０）、少なくとも１つのネットワークエンティティ（１１２）、及び、少なくとも１つのユーザ機器（１２０）のうちの１つ又は複数に、モニタリング要求（１０１）を伝送する段階（１３０１）と、
上記少なくとも１つのアプリケーションエンティティ（１１０）、上記少なくとも１つのネットワークエンティティ（１１２）、及び、上記少なくとも１つのユーザ機器（１２０）のうちの１つ又は複数からモニタリング応答（１０２）を取得する段階（１３０２）と、
上記取得したモニタリング応答（１０２）に基づいて、上記少なくとも１つのアプリケーションエンティティ（１１０）の上記少なくとも１つの通信サービス（１１１）のサービス品質ＱｏＳ（１０３）における変化を判定する段階（１３０３）と、
上記通信ネットワーク（１）内の上記少なくとも１つのアプリケーションエンティティ（１１０）に、及び／又は、上記ネットワークエンティティ（１１２、１１３、１１４）のうちの少なくとも１つに、上記ＱｏＳ（１０３）における上記判定した変化に基づいた情報を伝送する段階と
を備える方法（１３００）。
【図１】
2021536714.tif 000003
【図２】
2021536714.tif 000004
【図３】
2021536714.tif 000005
【図４】
2021536714.tif 000006
【図５】
2021536714.tif 000007
【図６ａ】
2021536714.tif 000008
【図６ｂ】
2021536714.tif 000009
【図７ａ】
2021536714.tif 000010
【図７ｂ】
2021536714.tif 000011
【図８】
2021536714.tif 000012
【図９】
2021536714.tif 000013
【図１０】
2021536714.tif 000014
【図１１ａ】
2021536714.tif 000015
【図１１ｂ】
2021536714.tif 000016
【図１２ａ】
2021536714.tif 000017
【図１２ｂ】
2021536714.tif 000018
【図１２ｃ】
2021536714.tif 000019
【図１３】
2021536714.tif 000020
【国際調査報告】
2021536714.tif 000021
2021536714.tif 000022
2021536714.tif 000023
2021536714.tif 000024